(57)【特許請求の範囲】
【請求項１】
ワイヤレス通信のための方法であって、
第１のダウンリンク制御メッセージを受信することと、ここにおいて、前記第１のダウンリンク制御メッセージは、第２のダウンリンク制御メッセージの一部を変更することによって作成され、前記第２のダウンリンク制御メッセージは、非周期的サウンディング基準信号（ＳＲＳ）送信をトリガせず、前記第１のダウンリンク制御メッセージは、前記非周期的ＳＲＳ送信に割り付けられたリソースを示す、
前記受信された第１のダウンリンク制御メッセージに基づいて非周期的ＳＲＳを送信することと
を備え、前記送信することは、前記第１のダウンリンク制御メッセージを受信した後の既定の時間期間の後に前記非周期的ＳＲＳを送信することを備え、前記既定の時間期間は、ＰＵＳＣＨサブフレームとＳＲＳ送信との間で定義される、またはＡＣＫ／ＮＡＣＫサブフレームとＳＲＳ送信との間で定義される、方法。
【請求項２】
前記受信することは、ランダムアクセス応答メッセージにおいて前記第１のダウンリンク制御メッセージを受信することを備える、
請求項１に記載の方法。
【請求項３】
前記第２のダウンリンク制御メッセージの前記一部は、１ビットフィールドおよび２ビットフィールドのうちの１つを備える、
請求項１に記載の方法。
【請求項４】
前記既定の時間期間は、少なくとも４ミリ秒である、
請求項１に記載の方法。
【請求項５】
前記第２のダウンリンク制御メッセージの前記一部は、前記第１のダウンリンク制御メッセージを作成するために１ビットフィールドの追加を備える、
請求項１に記載の方法。
【請求項６】
前記非周期的ＳＲＳ送信に割り付けられた前記リソースは、前記１ビットフィールドに関連付けられ、より高いレイヤによって構成される、
請求項５に記載の方法。
【請求項７】
ワイヤレス通信のための装置であって、
第１のダウンリンク制御メッセージを受信するための手段と、ここにおいて、前記第１のダウンリンク制御メッセージは、第２のダウンリンク制御メッセージの一部を変更することによって作成され、前記第２のダウンリンク制御メッセージは、非周期的サウンディング基準信号（ＳＲＳ）送信をトリガせず、前記第１のダウンリンク制御メッセージは、前記非周期的ＳＲＳ送信に割り付けられたリソースを示す、
前記受信された第１のダウンリンク制御メッセージに基づいて非周期的ＳＲＳを送信するための手段と
を備え、前記送信することは、前記第１のダウンリンク制御メッセージを受信した後の既定の時間期間の後に前記非周期的ＳＲＳを送信することを備え、前記既定の時間期間は、ＰＵＳＣＨサブフレームとＳＲＳ送信との間で定義される、またはＡＣＫ／ＮＡＣＫサブフレームとＳＲＳ送信との間で定義される、装置。
【請求項８】
前記受信するための手段は、ランダムアクセス応答メッセージにおいて前記第１のダウンリンク制御メッセージを受信するための手段を備える、
請求項７に記載の装置。
【請求項９】
前記第２のダウンリンク制御メッセージの前記一部は、１ビットフィールドおよび２ビットフィールドのうちの１つを備える、
請求項７に記載の装置。
【請求項１０】
前記既定の時間期間は、少なくとも４ミリ秒である、
請求項７に記載の装置。
【請求項１１】
前記第２のダウンリンク制御メッセージの前記一部は、前記第１のダウンリンク制御メッセージを作成するために１ビットフィールドの追加を備える、
請求項７に記載の装置。
【請求項１２】
前記非周期的ＳＲＳ送信に割り付けられた前記リソースは、前記１ビットフィールドに関連付けられ、より高いレイヤによって構成される、
請求項１１に記載の装置。
【請求項１３】
ワイヤレス通信のための装置であって、
第１のダウンリンク制御メッセージを受信し、ここにおいて、前記第１のダウンリンク制御メッセージは、第２のダウンリンク制御メッセージの一部を変更することによって作成され、前記第２のダウンリンク制御メッセージは、非周期的サウンディング基準信号（ＳＲＳ）送信をトリガせず、前記第１のダウンリンク制御メッセージは、前記非周期的ＳＲＳ送信に割り付けられたリソースを示す、
前記受信された第１のダウンリンク制御メッセージに基づいて非周期的ＳＲＳを送信する
ように構成されたプロセッサと、
前記プロセッサに結合されたメモリと
を備え、前記送信することは、前記第１のダウンリンク制御メッセージを受信した後の既定の時間期間の後に前記非周期的ＳＲＳを送信することを備え、前記既定の時間期間は、ＰＵＳＣＨサブフレームとＳＲＳ送信との間で定義される、またはＡＣＫ／ＮＡＣＫサブフレームとＳＲＳ送信との間で定義される、装置。
【請求項１４】
前記プロセッサは、ランダムアクセス応答メッセージで、前記第１のダウンリンク制御メッセージを受信するためにさらに構成される、
請求項１３に記載の装置。
【請求項１５】
前記第２のダウンリンク制御メッセージの前記一部は、１ビットフィールドおよび２ビットフィールドのうちの１つを備える、
請求項１３に記載の装置。
【請求項１６】
前記既定の時間期間は、少なくとも４ミリ秒である、
請求項１３に記載の装置。
【請求項１７】
前記第２のダウンリンク制御メッセージの前記一部は、前記第１のダウンリンク制御メッセージを作成するために１ビットフィールドの追加を備える、
請求項１３に記載の装置。
【請求項１８】
前記非周期的ＳＲＳ送信に割り付けられた前記リソースは、前記１ビットフィールドに関連付けられ、より高いレイヤによって構成される、
請求項１７に記載の装置。
【請求項１９】
コンピュータプログラムであって、
コンピュータに対して、第１のダウンリンク制御メッセージを受信させるための命令と、ここにおいて、前記第１のダウンリンク制御メッセージは、第２のダウンリンク制御メッセージの一部を変更することによって作成され、前記第２のダウンリンク制御メッセージは、非周期的サウンディング基準信号（ＳＲＳ）送信をトリガせず、前記第１のダウンリンク制御メッセージは、前記非周期的ＳＲＳ送信に割り付けられたリソースを示す、
前記コンピュータに対して、前記受信された第１のダウンリンク制御メッセージに基づいて非周期的ＳＲＳを送信させるための命令と
を備え、前記送信することは、前記第１のダウンリンク制御メッセージを受信した後の既定の時間期間の後に前記非周期的ＳＲＳを送信することを備え、前記既定の時間期間は、ＰＵＳＣＨサブフレームとＳＲＳ送信との間で定義される、またはＡＣＫ／ＮＡＣＫサブフレームとＳＲＳ送信との間で定義される、コンピュータプログラム。
【請求項２０】
前記コンピュータに対して、ランダムアクセス応答メッセージで、前記第１のダウンリンク制御メッセージを受信するための命令をさらに備える、
請求項１９に記載のコンピュータプログラム。
【請求項２１】
前記第２のダウンリンク制御メッセージの前記一部は、１ビットフィールドおよび２ビットフィールドのうちの１つを備える、
請求項１９に記載のコンピュータプログラム。
【請求項２２】
前記既定の時間期間は、少なくとも４ミリ秒である、
請求項１９に記載のコンピュータプログラム。
【請求項２３】
前記第２のダウンリンク制御メッセージの前記一部は、前記第１のダウンリンク制御メッセージを作成するために１ビットフィールドの追加を備える、
請求項１９に記載のコンピュータプログラム。
【請求項２４】
前記非周期的ＳＲＳ送信に割り付けられた前記リソースは、前記１ビットフィールドに関連付けられ、より高いレイヤによって構成される、
請求項２３に記載のコンピュータプログラム。
【発明の詳細な説明】
【関連出願】
【０００１】
本出願は、全体として参照により本明細書に組み込まれる、２０１０年２月１０日に出願された「METHOD AND APPARATUS THAT FACILITATES AN APERIODIC TRANSMISSION OF A SOUNDING REFERENCE SIGNAL」と題する米国仮出願６１／３０３，２４４号の優先権の利益を主張する。
【技術分野】
【０００２】
以下の記述は一般的にワイヤレス通信に関し、より詳細には、チャネルを通して基準信号を送信するためのリソースエレメントを提供することに関する。
【背景技術】
【０００３】
ワイヤレス通信システムは、音声、データなど、様々なタイプの通信コンテンツを提供するために広く展開されている。これらのシステムは、利用可能なシステムリソース（例えば、帯域幅および送信電力など）を共有することによって複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ）ロングタームエボリューション（ＬＴＥ）システム、および、直交周波数分割多元接続（ＯＦＤＭＡ）システムを含む。
【０００４】
一般的に、ワイヤレス多元接続通信システムは、複数のワイヤレス端末（ユーザ機器（ＵＥ）またはモバイル局としても知られている）のための通信を同時にサポートすることができる。各端末は、順方向リンクおよび逆方向リンク上の送信を介して、１または複数の基地局と通信する。順方向リンク（あるいはダウンリンク）は、基地局から端末への通信リンクを指し、逆方向リンク（あるいはアップリンク）は、端末から基地局への通信リンクを指す。この通信リンクは、単一入力単一出力、多入力単一出力、または、多入力多出力（ＭＩＭＯ）システムを介して確立されうる。
【０００５】
ＭＩＭＯシステムは、データ送信のために、複数（ＮＴ個）の送信アンテナと、複数（ＮＲ個）の受信アンテナとを用いる。ＮＴ個の送信アンテナおよびＮＲ個の受信アンテナによって形成されるＭＩＭＯチャネルは、空間チャネルとも呼ばれるＮＳ個の独立チャネルに分解されうる。ここで、ＮＳ≦ｍｉｎ｛ＮＴ，ＮＲ｝である。ＮＳ個の独立チャネルの各々は、１つの次元（dimension）に対応する。ＭＩＭＯシステムは、複数の送信アンテナおよび受信アンテナによって作成される次元性がさらに利用されると、向上した性能（例えば、より高いスループット、および／または、より高い信頼性）を提供することができる。
【０００６】
加えて、端末は、例えば、アップリンクチャネル品質を決定するために利用されうるサウンディング基準信号（ＳＲＳ）を基地局に送信することができる。基地局は、アップリンクリソースを送信側の端末に割り付ける際にこのＳＲＳを利用することができる。ＬＴＥリリース８（Ｒｅｌ−８）において、特定のセルに関連する最大送信帯域幅、利用可能なサブフレームなど、ＳＲＳを送信するための特定のパラメータが、ワイヤレスネットワークの動作中に定義されうる。さらに、特定のモバイル端末についてのＳＲＳ期間およびサブフレームオフセットの構成インデックス、この端末のための帯域幅、開始リソースブロック、周波数ホッピング帯域幅、送信コーム、ＳＲＳ送信期間、基準シーケンスを生成するためのサイクリックシフト、および／または、同様のものといった端末固有パラメータは、さらに、ランタイムに定義されうる。Ｒｅｌ−８の端末は、これらのパラメータによって特定されたようにＳＲＳを送信することができる。ＬＥＴ−アドバンスド（ＬＴＥ−Ａ）端末は、ＳＲＳ構成への強化から利益を得ることができる、より進化したテクノロジおよび特徴をサポートすることができる。
【発明の概要】
【０００７】
本開示で提供されるシステムおよび方法は、上で論述された必要性および他の必要性を満たしうる。簡潔かつ一般的に言えば、開示される設計は、ＳＲＳリソースの送信および割付に対して高められた機能を提供するための方法および装置を提供する。
【０００８】
下記は、そのようなテクニックおよび実施形態の基本的な理解を提供するために１または複数の実施形態の簡潔な概要を提示する。この概要は企図される全ての実施形態の広範囲に及ぶ概観ではなく、全ての実施形態のキーまたは不可欠な要素を識別すること、あるいは、任意の実施形態または全ての実施形態の範囲を描写することを企図しない。この唯一の目的は、後に提示される、より詳細な記述への前置きとして、１または複数の実施形態のうちのいくつかのコンセプトを簡易な形で提示することである。
【０００９】
ある態様において、サウンディング基準信号（ＳＲＳ）の非周期的送信を容易にする方法は、非周期的送信にリソースを割り付けることを含む。方法は、さらに、第２のダウンリンク制御メッセージを生成するために第１のダウンリンク制御メッセージの一部を変更することを含む。ここで、第１のダウンリンク制御メッセージは、非周期的ＳＲＳ送信をトリガしない。方法は、さらに、第２のダウンリンクメッセージを送信することを含む。
【００１０】
別の態様において、サウンディング基準信号（ＳＲＳ）の非周期的送信を容易にするための装置は、リソースを非周期的送信に割り付けるための手段を含む。装置は、さらに、第２のダウンリンク制御メッセージを生成するために、ルールの第１のセットに対応するダウンリンク制御メッセージの一部を変更するための手段を含む。ここで、第１のダウンリンク制御メッセージは、非第１周期的ＳＲＳ送信をトリガしない。装置は、さらに、第２のダウンリンクメッセージを送信するための手段を含む。
【００１１】
さらに別の態様において、ワイヤレス通信のための装置が開示される。装置は、サウンディング基準信号（ＳＲＳ）の非周期的送信にリソースを割り付け、第２のダウンリンク制御メッセージを生成するために、ルールの第１のセットに対応する第１のダウンリンク制御メッセージの一部を変更し、ここで、第１のダウンリンク制御メッセージは、非周期的ＳＲＳ送信をトリガしない、さらに、第２のダウンリンクメッセージを送信するように構成されたプロセッサを含む。装置は、さらに、プロセッサに結合されたメモリを含む。
【００１２】
さらに別の態様において、コンピュータ可読記憶媒体を備えるコンピュータプログラムプロダクトが開示される。コンピュータ可読記憶媒体は、コンピュータに対して、サウンディング基準信号（ＳＲＳ）の非周期的送信にリソースを割り付けさせる命令を含む。コンピュータ可読記憶媒体は、さらに、コンピュータに対して、第２のダウンリンク制御メッセージを生成するために、第１のダウンリンク制御メッセージの一部を変更させる命令を含む。ここで、第１のダウンリンク制御メッセージは、非周期的ＳＲＳ送信をトリガしない。コンピュータ可読記憶媒体は、さらに、コンピュータに対して、第２のダウンリンクメッセージを送信させる命令を含む。
【００１３】
ある態様において、ワイヤレス通信のための方法が開示される。方法は、第１のダウンリンク制御メッセージを受信することを含む。ここで、第１のダウンリンク制御メッセージは、第２のダウンリンク制御メッセージの一部を変更することによって作成され、第２のダウンリンク制御メッセージは、非周期的サウンディング基準信号（ＳＲＳ）送信をトリガせず、第１のダウンリンク制御メッセージは、非周期的ＳＲＳ送信に割り付けられたリソースを示す。方法は、さらに、受信された第１のダウンリンク制御メッセージに基づいて非周期的ＳＲＳを送信することを含む。
【００１４】
別の態様において、ワイヤレス通信のための装置が開示される。装置は、第１のダウンリンク制御メッセージを受信するための手段を含む。ここで、第１のダウンリンク制御メッセージは、第２のダウンリンク制御メッセージの一部を変更することによって作成され、第２のダウンリンク制御メッセージは、非周期的サウンディング基準信号（ＳＲＳ）送信をトリガせず、第１のダウンリンク制御メッセージは、非周期的ＳＲＳ送信に割り付けられたリソースを示す。装置は、さらに、受信された第１のダウンリンク制御メッセージに基づいて非周期的ＳＲＳを送信するための手段を含む。
【００１５】
さらに別の態様において、ワイヤレス通信のための装置が提供される。装置は、第１のダウンリンク制御メッセージを受信するように構成されたプロセッサを含む。ここで、第１のダウンリンク制御メッセージは、第２のダウンリンク制御メッセージの一部を変更することによって作成され、第２のダウンリンク制御メッセージは、非周期的サウンディング基準信号（ＳＲＳ）送信をトリガせず、第１のダウンリンク制御メッセージは、非周期ＳＲＳ送信に割り付けられたリソースを示す。プロセッサは、さらに、受信された第１のダウンリンク制御メッセージに基的づいて非周期的ＳＲＳを送信するように構成される。装置は、さらに、プロセッサに結合されたメモリを含む。
【００１６】
さらに別の態様において、コンピュータ可読記憶媒体を備えたコンピュータプログラムプロダクトが提供される。コンピュータ可読記憶媒体は、コンピュータに対して、第１のダウンリンク制御メッセージを受信させる命令を含む。ここで、第１のダウンリンク制御メッセージは、第２のダウンリンク制御メッセージの一部を変更することによって作成され、第２のダウンリンク制御メッセージは、非周期的サウンディング基準信号（ＳＲＳ）送信をトリガせず、第１のダウンリンク制御メッセージは、非周期的ＳＲＳ送信に割り付けられたリソースを示す。コンピュータ可読記憶媒体は、さらに、コンピュータに対して、受信された第１のダウンリンク制御メッセージに基づいて非周期的ＳＲＳを送信させる命令を含む。
【００１７】
前述および関連した目的を達成するために、１または複数の態様は、以下に十分に記述され、特許請求の範囲で特に示される特徴を備える。以下の記述および添付図は、実例となる態様を詳細に示し、態様の原理が用いられうる様々な方法のほんの一部を示す。別の利点および新しい特徴は、図面に関して考慮された場合、次に続く詳細な説明から明確になるであろう。さらに、開示される態様は、全てのそのような態様およびそれらの等化物を含みうることが企図される。
【図面の簡単な説明】
【００１８】
本開示の特徴、性質、および利点は、同様の参照文字が全体を通して相応して識別する図面を考慮した場合、以下に示される詳細な説明により、より明白になるであろう。
【図１】図１は、１つの実施形態に従い、多元接続ワイヤレス通信システムを示す。
【図２】図２は、通信システムのブロック図を示す。
【図３】図３は、非周期的サウンディング基準信号送信を容易にするプロセスを表すフローチャートである。
【図４】図４は、非周期的サウンディング基準信号送信を容易にするための装置の一部を表すブロック図である。
【図５】図５は、ワイヤレス通信システムにおいて、サウンディング基準信号（ＳＲＳ）の非周期的送信信号を送信するプロセスを表すフローチャートである。
【図６】図６は、ワイヤレス通信システムにおいてサウンディング基準信号（ＳＲＳ）の非周期的送信信号を送信するための装置の一部を表すブロック図である。
【図７】図７は、信号受信プロセスを表すフローチャートである。
【図８】図８は、ワイヤレス信号受信装置の一部を表すブロック図である。
【図９】図９は、ワイヤレスセルラ通信システムにおいて非周期的サウンディング基準信号（ＳＲＳ）送信信号を送信するプロセスを表すフローチャートである。
【図１０】図１０は、ワイヤレスセルラ通信システムにおいて非周期的サウンディング基準信号（ＳＲＳ）送信信号を送信するための装置の一部を表すブロック図である。
【図１１】図１１は、ワイヤレスセルラ通信システムにおいて、非周期的サウンディング基準信号（ＳＲＳ）送信に送信リソースを割り付けるプロセスを表すフローチャートである。
【図１２】図１２は、ワイヤレスセルラ通信システムにおいて、非周期的サウンディング基準信号（ＳＲＳ）送信に送信リソースを割り付けるための装置の一部を表すブロック図である。
【図１３】図１３は、非周期的サウンディング基準信号（ＳＲＳ）を送信するプロセスを表すフローチャートである。
【図１４】図１４は、非周期的サウンディング基準信号（ＳＲＳ）を送信するための装置の一部を表すブロック図である。
【図１５】図１５は、ワイヤレス通信ネットワークにおいて、非周期的サウンディング基準信号（ＳＲＳ）送信を実行するプロセスを表すフローチャートである。
【図１６】図１６は、ワイヤレス通信ネットワークにおいて非周期的サウンディング基準信号（ＳＲＳ）送信を実行するための装置の一部を表すブロック図である。
【図１７】図１７は、非周期的サウンディング基準信号（ＳＲＳ）を送信するプロセスを表すフローチャートである。
【図１８】図１８は、非周期的サウンディング基準信号（ＳＲＳ）を送信するための装置の一部を表すブロック図である。
【図１９】図１９は、複数の送信アンテナを備えるユーザ機器（ＵＥ）に非周期的サウンディング基準信号（ＳＲＳ）送信に対して送信リソースを割り付けるプロセスを表すフローチャートである。
【図２０】図２０は、複数の送信アンテナを備えるユーザ機器（ＵＥ）に非周期的サウンディング基準信号（ＳＲＳ）送信に対して送信リソースを割り付けるための装置の一部を表すブロック図である。
【図２１】図２１は、複数の送信アンテナを備えるユーザ機器（ＵＥ）から非周期的サウンディング基準信号（ＳＲＳ）送信信号を送信することを表すフローチャートである。
【図２２】図２２は、複数の送信アンテナを備えるユーザ機器（ＵＥ）から非周期的サウンディング基準信号（ＳＲＳ）送信信号を送信するための装置の一部を表すブロック図である。
【図２３】図２３は、ユーザ機器（ＵＥ）からの非周期的サウンディング基準信号（ＳＲＳ）の送信をトリガするプロセスを表すフローチャートである。
【図２４】図２４は、ユーザ機器（ＵＥ）からの非周期的サウンディング基準信号（ＳＲＳ）の送信をトリガするための装置の一部を表すブロック図である。
【図２５】図２５は、信号受信プロセスを表すフローチャートである。
【図２６】図２６は、信号受信装置の一部を表すブロック図である。
【図２７】図２７は、ワイヤレス通信システムにおいて、非周期的サウンディング基準信号（ＳＲＳ）の送信を容易にするプロセスを表すフローチャートである。
【図２８】図２８は、ワイヤレス通信システムにおいて、非周期的サウンディング基準信号（ＳＲＳ）の送信を容易にするための装置の一部を表すブロック図である。
【図２９】図２９は、信号送信プロセスを表すフローチャートである。
【図３０】図３０は、信号送信装置の一部を表すブロック図である。
【図３１】図３１は、ワイヤレス通信システムにおいて、非周期的サウンディング基準信号（ＳＲＳ）送信信号を受信するプロセスを表すフローチャートである。
【図３２】図３２は、ワイヤレス通信システムにおいて、非周期的サウンディング基準信号（ＳＲＳ）送信信号を受信するための装置の一部を表すブロック図である。
【図３３】図３３は、信号送信プロセスを表すフローチャートである。
【図３４】図３４は、信号送信装置の一部を表すブロック図である。
【図３５】図３５は、ワイヤレス通信システムにおいて、非周期的サウンディング基準信号（ＳＲＳ）送信をトリガするプロセスを表すフローチャートである。
【図３６】図３６は、ワイヤレス通信システムにおいて、非周期的サウンディング基準信号（ＳＲＳ）送信をトリガするための装置を表すブロック図である。
【図３７】図３７は、信号送信プロセスを表すフローチャートである。
【図３８】図３８は、信号送信装置の一部を表すブロック図である。
【図３９】図３９は、リレーバックホール送信信号に割り当られた送信リソースを表すブロック図である。
【図４０】図４０は、ワイヤレス通信ネットワークのリレーバックホールにおいて、非周期的サウンディング基準信号（ＳＲＳ）送信をトリガするプロセスを表すフローチャートである。
【図４１】図４１は、ワイヤレス通信ネットワークのリレーバックホールにおいて非周期的サウンディング基準信号（ＳＲＳ）送信をトリガするための装置の一部を表すブロック図である。
【図４２】図４２は、信号送信プロセスを表すフローチャートである。
【図４３】図４３は、信号送信装置の一部を表すブロック図である。
【図４４】図４４は、ワイヤレス通信システムで使用するための信号送信プロセスを表すフローチャートである。
【図４５】図４５は、信号送信装置の一部を表すブロック図である。
【発明を実施するための形態】
【００１９】
様々な態様が図に関してここに記述される。以下の記述において、説明を目的として、１または複数の態様の全体的な理解を提供するために多数の特定な詳細が示される。しかしながら、様々な態様がこれらの特定な詳細なく実施されうることは明白でありうる。他のインスタンスにおいて、これらの態様の記述を容易にするために、周知の構造およびデバイスがブロック図の形態で示される。
【００２０】
本明細書に記述されるテクニックは、ＣＤＭＡネットワーク、ＴＤＭＡネットワーク、ＦＤＭＡネットワーク、ＯＦＤＭＡネットワーク、単一キャリアＦＤＭＡ（ＳＣ−ＦＤＭＡ）ネットワークなど、様々なワイヤレス通信ネットワークに対して使用されうる。「ネットワーク（network）」および「システム（system）」という用語は交換して使用されることが多い。ＣＤＭＡネットワークは、ＵＴＲＡ（Universal Terrestrial Radio Access）、ｃｄｍａ２０００などの無線テクノロジをインプリメントしうる。ＵＴＲＡは、広帯域ＣＤＭＡ（Ｗ−ＣＤＭＡ）および低チップレート（ＬＣＲ）を含む。ＣＤＭＡ２０００は、ＩＳ−２０００、ＩＳ−９５、およびＩＳ−８５６標準をカバーする。ＴＤＭＡネットワークは、ＧＳＭ（登録商標）（Global System for Mobile Communications）などの無線テクノロジをインプリメントしうる。ＯＦＤＭＡネットワークは、次世代ＵＴＲＡ（Ｅ−ＵＴＲＡ）、ＩＥＥＥ ８０２.１１、ＩＥＥＥ ８０２.１６、ＩＥＥＥ ８０２.２０、フラッシュＯＦＤＭ（登録商標）などの無線テクノロジをインプリメントしうる。ＵＴＲＡ、Ｅ−ＵＴＲＡ、ＧＳＭは、ＵＭＴＳ（Universal Mobile Telecommunication System）の一部である。ロングタームエボリューション（ＬＴＥ）は、Ｅ−ＵＴＲＡを使用するＵＭＴＳの最新のリリースである。ＵＴＡＲ、Ｅ−ＵＴＲＡ、ＧＳＭ、ＵＭＴＳ、ＬＴＥは、「第３世代パートナーシッププロジェクト（３ＧＰＰ）」という名称の団体からの文書に記述されている。ＣＤＭＡ２０００は、「第３世代パートナーシッププロジェクト２（３ＧＰＰ２）」という名称の団体からの文書に記述されている。明瞭さのために、テクニックの特定の態様は、ＬＴＥに関して下に記述され、ＬＴＥ用語が下の記述の大部分で使用されうる。
【００２１】
ＳＣ−ＦＤＭＡは、単一キャリア変調と周波数ドメイン等化を利用する。ＳＣ−ＦＤＭＡ信号は、それ固有の単一のキャリア構造により、より低いピーク対平均電力比（ＰＡＰＲ）を有する。ＳＣ−ＦＤＭＡは、特に、送信電力効率という点でより低いＰＡＰＲがＵＥに膨大な利益をもたらすアップリンク通信において、多くの注意を引き付ける。それは、３ＧＰＰ ＬＴＥにおいて、アップリンク多元接続スキームに使用される。
【００２２】
説明を簡潔にするために、以下の主題が、ＬＴＥで使用される特定の信号およびメッセージフォーマットの特定の例に関して、並びに、サウンディング基準信号テクノロジに関して論述されることに注意されたい。しかしながら、開示されるテクニックの他の通信システムおよび他の基準信号送信／受信テクノロジへの適用性は、当業者によって認識されるであろう。
【００２３】
非周期的サウンディング基準信号（ＳＲＳ）が、恐らくＬＴＥ−Ａ Ｒｅｌ−１０に導入されうることは論述されている。非周期的ＳＲＳをサポートするいくつかの設計の態様が下に開示される。
【００２４】
ＳＲＳは、ワイヤレス通信の性能の改善を促進するために、ＬＴＥリリース８またはリリース９（Ｒｅｌ−８／９）およびＬＴＥアドバンスト（ＬＴＥ―Ａ）で使用される。ＳＲＳは、基地局で知られる信号であり、基地局によって特定される時間／周波数送信リソースを使用して各ＵＥによって送信される。基地局は、受信されたＳＲＳ送信を分析して、送り側のＵＥとの通信を改善しうる。ＵＥから受信されたＳＲＳがＵＥへの／からのチャネルを特徴付けるために使用されることから、理想的に、受信されたＳＲＳは、ネットワーク（同一セルまたは隣接セル）内の他のＵＥによる送信からの干渉を受けない。さらに、ＵＥの動きなどの動作条件は、チャネルを時間的に変化させうる。かくして、そのようなチャネルの変化による送信セットバックを克服するためにチャネルを再測定することは、そのようなチャネル変化の間の短期チャネル送信性能の改善を促進しうる。
【００２５】
ＬＴＥ Ｒｅｌ−８およびＲｅｌ−９において、周期的ＳＲＳ送信がサポートされる。ＳＲＳは、アップリンク（ＵＬ）周波数選択的スケジューリングを容易にするため、並びに、ＵＬ電力制御、時間追跡などの他の目的のために広帯域サラウンディング信号として設計されうる。時分割複信（ＴＤＤ）において、ＳＲＳは、チャネル相反性の活用を介してダウンリンク（ＤＬ）スケジューリングに対しても使用されることができる。一般的に、ＳＲＳは、サービングセルに向けられ、物理アップリンク共有チャネル（ＰＵＳＣＨ）電力制御にリンクされる。
【００２６】
各セルは、セル固有ＳＲＳ送信インスタンス（最大でＵＬサブフレームごと）およびセル固有ＳＲＳ送信帯域幅を有しうる。典型的に、セル固有ＳＲＳ帯域幅が、物理アップリンク制御チャネル（ＰＵＣＣＨ）領域を除く、アップリンクシステム帯域幅の大部分をカバーすることが期待される。所与のセル内の各ＵＥは、（セル固有ＳＲＳ送信インスタンス内で）ＵＥ固有ＳＲＳ送信インスタンスおよびＵＥ固有ＳＲＳ送信帯域幅が構成され、それは、４個のリソースブロック（ＲＢ）と同じ小ささでありうる。ＳＲＳホッピングがイネーブルされ、セル固有ＳＲＳ帯域幅の全体または一部を周期的にサウンディングすることを可能にする。同一セル内のＵＥは、同一シーケンス（最大８までの符号分割多重化すなわちＣＤＭＡ）の異なるサイクリックシフト、異なるコーム（comb）レベル（最大２までの周波数ドメイン多重化）、異なる周波数開始位置（サイクリング遅延を犠牲にして全帯域幅を繰り返す間）、および、異なる送信インスタンス（例えば、ＴＤＭ）によって区別されうる。
【００２７】
ＳＲＳホッピングシーケンスは、構成の所与のセットに対して決定論的であり、同じ構成下の全てのセルに対して同一でありうる。異なるセルの間の異なるセル固有ＳＲＳ構成は、恐らく、ＳＲＳ協調を達成しうる。ＬＴＥ Ｒｅｌ−８において、ＳＲＳホッピングは、セル固有ＳＲＳ帯域幅の全体または一部にわたって実行される。
【００２８】
ＬＴＥ−Ａにおいて、ＳＲＳは、チャネル相反性を活用し、複数のセルにおけるチャネル状態情報（ＣＳＩ）推定に対して使用されうる。ＳＲＳ設計は、複数の送信アンテナ、多地点協調（ＣｏＭＰ）、異種ネットワークのサポートなどのＬＴＥ−Ａ特徴を考慮に入れることが必要でありうる。Ｒｅｌ−８およびＲｅｌ−９における現在のＳＲＳメカニズムが、以下の点でＬＴＥ−Ａに十分でない可能性があることが懸念される。
【００２９】
ＳＲＳオーバヘッド／ディメンジョニングとＳＲＳ待ち時間との間にトレードオフが存在し、大きいＳＲＳ待ち時間と小さいＳＲＳ待ち時間との切り換えは、この切り換えが典型的にレイヤ３再構成を介して達成されうるため、遅い。そのようなアプローチは、爆発的なパケット到着に対してあまり効率的ではない恐れがある。
【００３０】
ＬＴＥ Ｒｅｌ−８およびＲｅｌ−９において、周期的および非周期的の両方のチャネル品質インジケータ（ＣＱＩ）／プリコーディング行列インデックス（ＰＭＩ）／ランクインジケータ（ＲＩ）報告スキームがサポートされる。周期的なＣＱＩ報告は、ＵＥ固有報告周期性で構成されるレイヤ３である。非周期的ＣＱＩ報告は、ＤＣＩフォーマット０に組み込まれる単一のビットを介してレイヤ２で駆動される。一度イネーブルされると、非周期的ＣＱＩ報告は、ＰＵＳＣＨ送信に沿って、または、ＰＵＳＣＨリソースを使用してそれ自体により送信される。この非周期的報告は、１度きりの迅速且つ詳細な（それがＰＵＳＣＨリソースを使用するため）チャネル情報フィードバックに対して効率的な方法を提供する。
【００３１】
本開示は、ＳＲＳ利用効率性を増加させるために、ＬＴＥ−Ａにおいて非周期的ＳＲＳを導入する。ここで、基地局からＵＥへのメッセージを介して非周期的ＳＲＳ送信をトリガし、逆にＵＥから基地局への非周期的ＳＲＳ送信信号を送信するメカニズムが別の態様に加えて提供される。
【００３２】
図１は、ＬＴＥシステムまたはある別のシステムでありうるワイヤレス通信システム１００を示す。システム１００は、多数の発展型ノードＢ（ｅＮＢ）１１０および他のネットワークエンティティを含みうる。ｅＮＢ １１０は、ＵＥ １２０と通信するエンティティであり、基地局、ノードＢ、アクセスポイントなどとも呼ばれうる。ｅＮＢ １１０の各々は、特定の地理的エリアに対して通信カバレッジを提供し、このカバレッジ内に位置するＵＥ １２０に対して通信をサポートしうる。容量を改善するために、ｅＮＢのカバレッジエリア全体は、複数（例えば、３つ）のより小さいエリアに分割されうる。より小さいエリアの各々は、それぞれのｅＮＢサブシステムによってサービス提供されうる。３ＧＰＰにおいて、「セル（cell）」という用語は、ｅＮＢの最小カバレッジエリア、および／または、このカバレッジエリアにサービス提供するｅＮＢサブシステムを指しうる。
【００３３】
ＵＥ １２０は、システム１００全体に分散され、ＵＥ １２０の各々は、固定またはモバイルでありうる。ＵＥ １２０は、モバイル局、端末、アクセス端末、加入者ユニット、局とも呼ばれうる。ＵＥ １２０は、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、スマートフォン、ネットブック、スマートブック、タブレットなどでありうる。
【００３４】
ＬＴＥは、ダウンリンク上では直交周波数分割多重化（ＯＦＤＭ）を利用し、アップリンク上では単一キャリア周波数分割多重化（ＳＣ−ＦＤＭ）を利用する。ＯＦＤＭおよびＳＣ−ＦＤＭは、周波数範囲を、一般的にトーン、ビンなどとも呼ばれうる複数（Ｋ個）の直交サブキャリアに分割する。各サブキャリアは、データと変調されうる。一般的に、変調シンボルは、ＯＦＤＭの場合に周波数ドメインで送られ、ＳＣ−ＦＤＭの場合に時間ドメインで送られる。隣接サブキャリア間のスペーシングは固定であり、サブキャリアの総数（Ｋ個）は、システム帯域幅に依存しうる。例えば、Ｋは、システム帯域幅が１．２５、２．５、５、１０、または２０メガヘルツ（ＭＨｚ）の場合に、それぞれ、１２８、２５６、５１２、１０２４、または２０４８に等しくなりうる。システム帯域幅は、Ｋ個のトータルサブキャリアのサブセットに対応しうる。
【００３５】
図２は、例示的な基地局１１０およびＵＥ １２０のブロック図を示し、それは、それぞれ、図１におけるｅＮＢの１つおよびＵＥの１つでありうる。ここで、上に開示される様々なプロセスが、適宜、インプリメントされうる。ＵＥ １２０は、Ｔ個のアンテナ２３４ａ〜２３４ｔを備え、基地局１１０は、Ｒ個のアンテナ２５２ａ〜２５２ｒを備えうる。ここで、一般的に、Ｔ≧１並びにＲ≧１である。
【００３６】
ＵＥ １２０において、送信プロセッサ２２０はデータソース２１２からデータを受信し、コントローラ／プロセッサ２４０から制御情報を受信する。送信プロセッサ２２０は、このデータおよび制御情報を処理（例えば、符号化、インターリーブ、およびシンボルマップ）し、それぞれデータシンボルおよび制御シンボルを提供しうる。送信プロセッサ２２０は、さらに、ＵＥ １２０に割り当てられた１または複数の基準信号（ＲＳ）シーケンスに基づいて複数の非連続クラスタについての１または複数の復調基準信号を生成し、基準シンボルを提供しうる。送信（ＴＸ）多入力多出力（ＭＩＭＯ）プロセッサ２３０は、適用可能な場合に、空間処理（例えば、プリコーディング）を、送信プロセッサ２２０からのデータシンボル、制御シンボル、および／または基準シンボルに対して実行し、Ｔ個の出力シンボルストリームをＴ個の変調器（ＭＯＤ）２３２ａ〜２３２ｔに提供する。各変調器２３２は、出力サンプルストリームを取得するために、それぞれの出力シンボルストリーム（例えば、ＳＣ−ＦＤＭなどのために）を処理しうる。各変調器２３２は、この出力サンプルストリームをさらに処理（例えば、アナログへの変換、増幅、フィルタリング、およびアップコンバート）して、アップリンク信号を取得しうる。変調器２３２ａ〜２３２ｔからのＴ個のアップリンク信号は、それぞれＴ個のアンテナ２３４ａ〜２３４ｔを介して送信される。
【００３７】
基地局１１０において、アンテナ２５２ａ〜２５２ｒは、アップリンク信号をＵＥ １２０から受信し、受信信号をそれぞれ復調器（ＤＥＭＯＤ）２５４ａ〜２５４ｒに提供する。各復調器２５４は、それぞれの受信信号を調整（例えば、フィルタリング、増幅、ダウンコンバート、およびデジタル化）し、受信サンプルを取得しうる。各復調器２５４は、この受信サンプルをさらに処理し、受信シンボルを取得しうる。チャネルプロセッサ／ＭＩＭＯ検出器２５６は、Ｒ個全ての復調器２５４ａ〜２５４ｒから受信シンボルを取得しうる。チャネルプロセッサ２５６は、ＵＥ １２０から受信された復調基準信号に基づいてＵＥ １２０から基地局１１０へのワイヤレスチャネルについてチャネル推定を引き出しうる。ＭＩＭＯ検出器２５６は、このチャネル推定に基づいて、ＭＩＭＯ検出／復調を受信シンボルに対して実行し、検出されたシンボルを提供しうる。受信プロセッサ２５８は、検出されたシンボルを処理（例えば、シンボルデマップ、デインターリーブ、および復号）し、復号済みデータをデータシンク２６０に提供し、復号済み制御情報をコントローラ／プロセッサ２８０に提供する。
【００３８】
ダウンリンクの基地局１１０において、データソース２６２からのデータおよびコントローラ／プロセッサ２８０からの制御情報は送信プロセッサ２６４によって処理され、適用可能な場合にＴＸ ＭＩＭＯプロセッサ２６６によってプリコーディングされ、変調器２５４ａ〜２５４ｒによって調整され、ＵＥ １２０に送信される。ＵＥ １２０において、基地局１１０からのダウンリンク信号は、アンテナ２３４によって受信され、復調器２３２によって調整され、チャネル検出器／ＭＩＭＯ検出器２３６によって処理され、受信プロセッサ２３８によってさらに処理され、ＵＥ １２０に送らされたデータと制御情報とを取得しうる。プロセッサ２３８は、復号済みデータをデータシンク２３９に、復号済み制御情報をコントローラ／プロセッサ２４０に提供しうる。
【００３９】
コントローラ／プロセッサ２４０および２８０は、それぞれ、ＵＥ １２０および基地局１１０での動作を指揮する。プロセッサ２２０、プロセッサ２４０、および／または、ＵＥ １２０の別のプロセッサとモジュールは、図１４のプロセス１４００、および／または、本明細書に記述されたテクニックのための他のプロセスを実行または指揮しうる。プロセッサ２５６、プロセッサ２８０、および／または、基地局１１０の別のプロセッサとモジュールは、図１２のプロセス１２００、および／または、本明細書に記述されたテクニックのための他のプロセスを実行または指揮しうる。メモリ２４２および２８２は、それぞれ、ＵＥ １２０および基地局１１０のためにデータおよびプログラムコードを記憶しうる。スケジューラ２８４は、ダウンリンクおよび／またはアップリンク送信についてＵＥをスケジューリングし、スケジューリングされたＵＥに対してリソースの割付（例えば、複数の非連続的クラスタの割当、復調基準信号のためのＲＳシーケンスなど）を提供しうる。
【００４０】
上に論述されたＵＬリンク適応を支援するために、いくつかの設計において、非周期的ＣＱＩ報告は、ダウンリンク制御メッセージにおいてビットを使用してトリガされうる。例えば、Ｒｅｌ−８およびＲｅｌ−９において、非周期的ＣＱＩトリガリングビットは、ＤＣＩフォーマット０にのみ存在する。ＤＣＩフォーマット０を使用する１つの理由は、非周期的ＣＱＩ送信が、（ＰＵＣＣＨリソースではなく）ＰＵＳＣＨリソースに頼っており、ＤＣＩフォーマット０が、ＰＵＳＣＨ送信をスケジューリングする唯一のＤＣＩフォーマットだからである。
【００４１】
いくつかの設計において、ＳＲＳ送信は、ＵＬリンク適応に有益なだけでなく、ＤＬリンク適応に対しても有益でありうる。例えば、ＴＤＤシステムは、ＴＤＤチャネルの対照的な性質を活かし、ＳＲＳ送信を利用してＤＬリンク適応を実行しうる。
【００４２】
よって、いくつかの設計において、非周期的ＳＲＳトリガリングビット（または、複数のビット）は、ＰＵＳＣＨ送信をスケジューリングするＤＣＩフォーマット（例えば、ＤＣＩフォーマット０、および、Ｒｅｌ−１０および後のリリースで導入されるべき任意の新しいＤＣＩフォーマット）に限定されるわけではない。そのような設計において、非周期的ＳＲＳトリガリングビットは、物理ダウンリンク共有チャネル（ＰＤＳＣＨ）送信をスケジューリングするダウンリンクメッセージに存在しうる（例えば、ＰＤＳＣＨ送信をスケジューリングするＤＣＩフォーマット）。いくつかの設計において、ＳＲＳトリガリングビットは、下にさらに記述されるように、ＳＲＳアクティブ化／リリースのためにリザーブされうる。「トリガリングビット（triggering bit）」という用語が説明を簡単にするために本明細書において使用される場合、そのようなトリガリングメッセージが、ダウンリンク制御メッセージ（例えば、単一ビット、２ビットなど）の１または複数の連続的または非連続的なビットを備えることは理解される。
【００４３】
例えば、Ｒｅｌ−８／Ｒｅｌ−９において、非周期的ＣＱＩは、メッセージ２（例えば、ランダムアクセス応答（ＲＡＲ）グラント）を用いてトリガされうる。いくつかの設計において、非周期的ＳＲＳもまたＲＡＲグラントにおいてイネーブルされうる。いくつかの設計において、非周期的ＳＲＳは、ＲＡＲグランドメッセージ内の新しいビットを使用することによって達成されうる。いくつかの設計において、ＲＡＲグラント内の既存のビットのうちの１つは、非周期的ＳＲＳ送信をトリガするために再利用されうる。例えば、非周期的ＣＱＩ報告トリガリングビットは、ビットがセットされると、非周期的ＣＱＩと非周期的ＳＲＳの両方の送信が同時にトリガされるように、再度解釈されうる（より高い層の構成またはアプリオリ決定のいずれかを介して）。これら両方の送信は同一ビットを使用してトリガされうるが、ＣＱＩおよびＳＲＳに使用される送信タイミングおよび／または帯域幅は一般的に異なりうる。
【００４４】
いくつかの設計において、非周期的ＳＲＳは、Ｒｅｌ−８およびＲｅｌ−９の周期的ＳＲＳ送信に類似した物理レイヤリソースおよび特徴を使用して送信されうる。例えば、サブフームの最後のシンボルは、非周期的ＳＲＳ送信に使用されうる。送信帯域幅の選択が以下にさらに論述される。
【００４５】
いくつかの設計において、ＳＲＳ送信に割り付けられる特定の特徴およびリソースをトリガおよび特定する非周期的ＳＲＳを搬送する新しいフィールドは、既存のＤＬおよび／またはＵＬ ＤＣＩフォーマット内に導入されうる。上で論述されように、いくつかの設計において、非周期的ＳＲＳは、ＲＡＲグラント（メッセージ２）を介してトリガされうる。１つの態様において、新しいフィールドの導入により、変更済みＤＣＩフォーマットが非周期的ＳＲＳ送信をトリガできるようになり、これは、依然までは、これらのＤＣＩフォーマットでは不可能であった。
【００４６】
いくつかの設計において、新しいダウンリンク制御メッセージは、既存のダウンリンク制御メッセージフォーマットとサイズおよびＰＨＹ特徴が同じでありうる。このように同じサイズであることは、新しいメッセージを受信するためにＵＥにおいてブラインド検出を実行する必要性を最小化しうる。いくつかの設計において、新しいＤＣＩのフィールドは、帯域幅、ロケーション、タイミング、非周期的ＳＲＳ送信に使用されるべきＵＬアンテナの識別子など、非周期的ＳＲＳの様々な特徴を示すために使用されうる。
【００４７】
あるいは、いくつかの設計において、既存のダウンリンクメッセージフォーマットの従来の送信標準（例えば、Ｒｅｌ−８またはＲｅｌ−９）におけるビットの「無効な組み合わせ（invalid combination）」は、非周期的ＳＲＳ送信をトリガするために使用されうる。１つの態様において、そのような無効な組み合わせは、従来のＵＥから無視されうるが、本明細書に開示される非周期的ＳＲＳテクニックに準拠するＵＥによって有意義に処理されうる。例として、Ｒｅｌ−８／Ｒｅｌ−９のＤＣＩフォーマットにおいて、いくつかのフィールドは、特定の制限を有する。例えば、従来のテクニックにおいてＵＬに対して許可されたリソース割付は、２、３、５（ＲＢ）の倍数となるべきである。いくつかの方法において、ＵＥは、非周期的ＳＲＳトリガリングを示すために、２／３／５の倍数ではないリソース割付を示すＵＬ ＤＣＩフォーマットを使用してシグナリングされうる。
【００４８】
いくつかの設計において、ＤＣＩフォーマットからのリザーブされたビット、または、未使用のビットは、非周期的ＳＲＳ送信トリガリングに使用されうる。いくつかの設計において、上で説明されたように、Ｒｅｌ−８およびＲｅｌ−９では許可されない、ＤＣＩメッセージにおけるビット値の特定の組み合わせは、非周期的ＳＲＳ送信をトリガするために使用されうる。
【００４９】
いくつかの設計において、複数の未使用のエントリまたは複数の未許可のビット値の組み合わせが、非周期的ＳＲＳ送信の様々な特徴を特定するために使用されうる（例えば、帯域幅、周期性、リソースエレメント割当など）。未使用または未許可のビット組み合わせのそのような使用が、一般的に、現在または将来の全てのフォーマットに対して適用可能であることは認識されるであろう。
【００５０】
いくつかの設計において、上で論述された非周期的ＳＲＳトリガリングテクニックＡの潜在的な変形は、例えば、ＤＣＩフォーマット１Ａ（サイズ的にＤＣＩフォーマット０およびＤＣＩフォーマット１Ａに合う）など、いくつかのＤＬメッセージフォーマットにおいてのみＳＲＳトリガリングビットをイネーブルにすることである。
【００５１】
下の記述において、便宜上、以下の表記法が使用される。
【００５２】
ＤＬ ＤＣＩ：ＰＤＳＣＨ送信をスケジューリングし、非周期的ＳＲＳをトリガしうるＤＣＩ（一般的に、ダウンリンク送信をスケジューリングするダウンリンク制御メッセージ）。
【００５３】
ＵＬ ＤＣＩ：ＰＵＳＣＨ送信をスケジューリングし、非周期的ＳＲＳをトリガしうるＤＣＩ（一般的に、アップリンク送信をスケジューリングするダウンリンク制御メッセージ）。
【００５４】
ＳＲＳ ＤＣＩ：非周期的ＳＲＳをトリガする目的のためだけのＤＣＩ、すなわち、どのＰＤＳＣＨまたはＰＵＳＣＨ送信もスケジューリングされない（一般的に、非周期的ＳＲＳ送信のトリガリング専用のダウンリンク制御メッセージ）。
【００５５】
一般的に、所与の送信サブフレームにおいて、いずれも非周期的送信をトリガしうる複数のメッセージが含まれうる（例えば、ＵＬ、ＤＬ、およびＳＲＳ ＤＣＩメッセージ）。いくつかの設計において、ＵＥは、これら複数のメッセージのうちの１つが他よりも優先されるように構成されうる。いくつかの設計において、メッセージのうちのいくつかまたは全てが、非周期的送信の様々な特徴（例えば、異なる帯域幅、異なるアンテナなど）を定義するために使用されうる。
【００５６】
図３は、ＳＲＳの非周期的送信を容易にする方法３００を表すフローチャートである。３０２において、送信リソースは、非周期的ＳＲＳ送信に割り付けられうる。ｅＮＢは、特定のチャネルの既定のルールおよび／またはランタイム動作必要性に基づいて送信リソースを割り当てうる。３０４において、ルールのセット（例えば、Ｒｅｌ−８またはＲｅｌ．９）に対応する第１のダウンリンク制御メッセージの一部は、第２のダウンリンク制御メッセージを生成するために変更されうる。第１のダウンリンク制御メッセージは、非周期的ＳＲＳ送信をトリガしない。３０６において、第２のダウンリンクメッセージが送信されうる。いくつかの設計において、割り付けられた送信リソースのうちの少なくともいくつかは、メッセージ制御フィールドを使用してダウンリンク制御メッセージにおいて示されうる。上で論述されたように、いくつかの設計において、ダウンリンク制御メッセージは、新しく定義された制御メッセージであり、既存のメッセージ内のいくつかの未使用または未定義のビット値の組み合わせを再利用しうる。例えば、ダウンリンク制御メッセージは、Ｒｅｌ−８およびＲｅｌ−９標準で定義されるＤＣＩメッセージでありうる。メッセージフィールドは、既存のメッセージフィールドと同じ長さを有するように選択されうる。いくつかの設計において、リソース割付は、単に、ＵＥからの非周期的ＳＲＳの後続の送信をトリガしうる（すなわち、追加のリソース割付は明示的にシグナリングされない可能性がある）。いくつかの設計において、メッセージフィールドは、１または２ビット幅でありうる。下でさらに論述されるように、非周期的ＳＲＳ送信は、ダウンリンク制御メッセージを送信した後の既定の時間期間の後に受信されうる。
【００５７】
図４は、ＳＲＳの非周期的送信を容易するように構成されたｅＮＢ（図１のｅＮＢ １１０のような）の一部を表すブロック図４００である。モジュール４０２は、送信リソースを非周期的ＳＲＳ送信に割り付けるために提供される（例えば、プロセッサ）。モジュール４０４は、ＬＴＥ−Ａのために新しく定義されたＤＣＩメッセージのような第２のダウンリンク制御メッセージを生成するために、ルールの第１のセット（例えば、Ｒｅｌ−８またはＲｅｌ−９）に対応する第１のダウンリンク制御メッセージ（例えば、Ｒｅｌ−８またはＲｅｌ−９のＤＣＩメッセージ）の一部を変更するために提供される（例えば、変更器）。第１のダウンリンク制御メッセージは、非周期的ＳＲＳ送信をトリガしない。モジュール４０６は、第２のダウンリンクメッセージを送信するために提供される（例えば、送信機）。
【００５８】
図５は、非周期的ＳＲＳ送信を送信する方法５００を表すフローチャートである。５０２において、第１のダウンリンク制御メッセージが受信されうる。ここにおいて、第１のダウンリンク制御メッセージは、ルールのセットに対応する第２のダウンリンク制御メッセージの一部を変更することによって作成され、第２のダウンリンク制御メッセージは、非周期的ＳＲＳ送信をトリガせず、第１のダウンリンク制御メッセージは、非周期的ＳＲＳ送信に割り付けられた送信リソースのサブセットを示す。５０４において、受信された第１のダウンリンク制御メッセージに基づいて非周期的ＳＲＳが送信されうる。上で論述されたように、いくつかの設計において、受信された第１のダウンリンク制御メッセージは、ダウンリンクランダムアクセス応答（ＲＡＲ）メッセージを備える。第２のフィールドの一部は、１または２ビットのフィールドを含みうる。いくつかの設計において、ＵＥは、第２のダウンリンク制御メッセージを受信した後の既定の時間期間（例えば、４ミリ秒以上）の後に非周期的送信を送信しうる。
【００５９】
図６は、非周期的ＳＲＳ送信を実行するための（図１のＵＥ １２０のような）ＵＥの一部を表すブロック図６００である。モジュール６０２は、第１のダウンリンク制御メッセージを（例えば、受信機を使用して）受信するために提供される。ここにおいて、第１のダウンリンク制御メッセージは、ルールのセットに対応する第２のダウンリンク制御メッセージの一部を変更することによって作成され、ここで、第２のダウンリンク制御メッセージは非周期的ＳＲＳ送信をトリガせず、第１のダウンリンク制御メッセージは、非周期的ＳＲＳ送信に割り付けられた送信リソースのサブセットを示す。モジュール６０４は、受信された第１のダウンリンク制御メッセージに基づいて非周期的ＳＲＳを（例えば、送信機を使用して）送信するために提供される。
【００６０】
非周期的ＳＲＳ送信をトリガするためにＵＬ ＤＣＩメッセージを使用するいくつかの設計において、ＳＲＳ送信サブフレームは、ＵＬ ＤＣＩメッセージが送信をスケジューリングする、対応するＰＵＳＣＨサブフレームのそれと同じでありうる。
【００６１】
非周期的ＳＲＳ送信をトリガするためにＵＬ ＤＣＩメッセージを使用するいくつかの設計において、非周期的ＳＲＳ送信は、ＵＬ ＤＣＩメッセージによってスケジューリングされた対応するＰＵＳＣＨサブフレームの後の第１の利用可能なセル固有ＳＲＳ機会の間にスケジューリングされうるか、あるいは、ＰＵＳＣＨタイミングとＳＲＳタイミングとの間で、いくつかの他の固定の関係を有しうる。例えば、いくつかの設計において、固定の遅延（例えば、４ミリ秒またはそれ以上）は、ＰＵＳＣＨサブフレームとＳＲＳ送信との間で定義されうる。固定の遅延は、ｅＮＢとＵＥの両方に対して、非周期的ＳＲＳ送信の後続の受信／送信に対して準備するのに十分な時間を提供しうる。
【００６２】
いくつかの設計において、非周期的ＳＲＳ送信は、メッセージ３送信を控えうる。１つの態様において、周期的ＳＲＳ送信がメッセージ２と共に送信されうるため、そのように控えることは、送信機または受信機における任意の潜在的な衝突の回避を助ける。
【００６３】
非周期的ＳＲＳ送信をトリガするためにＤＬ ＤＣＩメッセージを使用するいくつかの設計において、非周期的ＳＲＳ送信のための対応するサブフレームは、ＵＬ ＡＣＫ／ＮＡＣＫサブフレームのそれと同じでありうる。いくつかの設計において、非周期的ＳＲＳ送信をサポートするために、短縮されたＰＵＣＣＨフォーマットが使用されうるか、波形リラクゼーションがイネーブルされうる。
【００６４】
非周期的ＳＲＳ送信をトリガするためにＤＬ ＤＣＩメッセージを使用するいくつかの設計において、対応するＳＲＳ送信が、ＡＣＫ／ＮＡＫサブフレームの後に第１の利用可能なセル固有ＳＲＳ機会に対してスケジューリングされうるか、あるいは、ＡＣＫ／ＮＡＫタイミングとＳＲＳタイミングとの間でいくつかの他の固定関係を有しうる。例えば、いくつかの設計において、固定の遅延（例えば、４ミリ秒またはそれ以上）は、ＡＣＫ／ＮＡＫサブフレームとＳＲＳ送信との間で定義されうる。固定の遅延は、ｅＮＢおよびＵＥの両方に対して、非周期的ＳＲＳ送信の後続の受信／送信に対して準備するのに十分な時間を提供しうる。
【００６５】
非周期的ＳＲＳ送信をトリガするためのＳＲＳ ＤＣＩメッセージを使用するいくつかの設計において、対応するＳＲＳ送信は、使用されるＳＲＳ ＤＣＩの性質に依存してスケジューリングされうる。例えば、いくつかの設計において、ＳＲＳ ＤＣＩが既存のＤＬまたはＵＬ ＤＣＩフォーマットに類似したフォーマットを有する場合、前に論述されたＵＬ／ＤＬ ＤＣＩルールが適用されうる。いくつかの設計において、新しいＤＣＩフォーマットが使用されると、第１の利用可能なセル固有ＳＲＳ機会またはＳＲＳ ＤＣＩメッセージの送信後の固定の遅延（例えば、４ミリ秒またはそれ以上）に対して非周期的ＳＲＳ送信がスケジューリングされうる。
【００６６】
Ｒｅｌ−８およびＲｅｌ−９のような従来のワイヤレスネットワークにおいて、周期的なＣＱＩ／ＰＭＩ／ＲＩおよびＳＲＳは、同時に送信されることはない。これらの送信に対してスケジューリングされた送信時間が１つのサブフレームにおいてオーバラップする場合、周期的なＣＱＩ／ＰＭＩ／ＲＩだけがそのサブフレームで送信されうる。しかしながら、非周期的ＣＱＩ／ＰＭＩ／ＲＩおよびＳＲＳは、同時に送信されうる。そのような送信において、ＣＱＩ／ＰＭＩ／ＲＩ送信は、ＰＵＳＣＨ上でピギーバック（piggyback）され、周期的ＳＲＳ送信は、このサブフレームの最後のシンボルをパンクチャする。
【００６７】
Ｒｅｌ−１０において、並列のＰＵＣＣＨおよびＰＵＳＣＨ送信が可能でありうる。しかしながら、現在、ＣＱＩ／ＰＭＩ／ＲＩ報告と非周期的ＳＲＳ送信とを同時に送信する方法は存在していない。下で論述されるようないくつかの設計において、周期的ＣＱＩおよび非周期的ＳＲＳの同時送信が可能になりうる。
【００６８】
非周期的ＳＲＳ送信をトリガするためにＤＬまたはＳＲＳ ＤＣＩを使用するいくつかの設計において、単一キャリア（ＳＣ）波形が所与のＵＥに対して所与のサブフレームで要求される場合、非周期的ＳＲＳは、周期的ＣＱＩ／ＰＭＩ／ＲＩと同一のサブフレームでトリガされない可能性がある。一方、リラックスされたＳＣ波形が所与のＵＥに対して所与のフレームで許可される場合、非周期的ＳＲＳがトリガされ、同一のサブフレームで、周期的なＣＱＩ／ＰＭＩ／ＲＩと共に送信されうる。２つ以上の電力増幅器（ＰＡ）をサポートする設計において、１つのＰＡは、ＣＱＩ／ＰＭＩ／ＲＩ報告を送信するために使用され、別のＰＡは、非周期的ＳＲＳ送信を送信するために使用されうる。いくつかの設計において、送信電力制限がＣＱＩ／ＰＭＩ／ＲＩ報告またはＳＲＳへの送信を制限する場合、ＳＲＳの送信は、ＳＲＳ送信のイベントに敏感な性質により、ＣＱＩ／ＰＭＩ／ＲＩ報告の送信よりも優先されうる。そのような優先順位付けは、例えばＲｅｌ−８のような、ＣＱＩ／ＰＭＩ／ＲＩ報告が周期的ＳＲＳ送信よりも高い優先度を有する従来のシステムとは異なる。
【００６９】
ＵＬ ＤＣＩメッセージを使用する非周期的ＳＲＳの送信をトリガするいくつかの設計において、非周期的ＣＱＩ／ＰＭＩ／ＲＩおよび非周期的ＳＲＳは、１つのサブフレームで同時にトリガされうる。
【００７０】
図７は、ワイヤレス通信システムにおいて信号を受信する方法７００を表すフローチャートである。７０２において、上で論述されたＣＱＩ／ＰＭＩ／ＲＩメッセージのようなチャネル品質インジケータ（ＣＱＩ）は、送信のサブフレームで受信されうる。７０４において、非周期的ＳＲＳは、送信の同じサブフレームで受信されうる。
【００７１】
図８は、ワイヤレス通信システムにおいて信号を受信するためのｅＮＢ（図１のｅＮＢ １１０のような）一部のブロック図８００である。モジュール８０２は、送信のサブフレームにおいてＣＱＩメッセージを受信するために提供される。モジュール８０４は、送信の同じサブフレームで非周期的ＳＲＳを受信するために提供される。
【００７２】
図９は、ワイヤレス通信システムにおいて信号を送信する方法９００を表すフローチャートである。９０２において、チャネル品質インジケータ（ＣＱＩ）メッセージは、送信のサブフレームで送信されうる。９０４において、非周期的サウンディング基準信号（ＳＲＳ）は、送信の同じサブフレームで送信されうる。上で論述されたように、いくつかの設計において、非周期的ＳＲＳ送信は、ＣＱＩ／ＰＭＩ／ＲＩ送信よりも優先されうる。
【００７３】
図１０は、ワイヤレス通信システムにおいて信号を受信するための（図１のＵＥ １２０のような）ＵＥの一部を表すブロック図である。モジュール１００２は、送信のサブフレームにおいてチャネル品質インジケータ（ＣＱＩ）メッセージを送信するために提供されうる。モジュール１００４は、送信のサブフレームでチャネル品質インジケータ（ＣＱＩ）メッセージを送信するために提供されうる。
【００７４】
いくつかの設計において、セル固有ＳＲＳ構成（例えば、送信に使用される帯域幅および使用されるサブフレーム）は、ＵＥに対して、ＰＵＣＣＨおよびＰＵＳＣＨのようなアップストリーム送信をどのように送信するかを示す。特に、セル固有ＳＲＳサブフレームにおいて、短縮されたＰＵＣＣＨフォーマットが構成された場合、短縮されたＰＵＣＣＨフォーマットが、ＵＥがＳＲＳを送信するか否かに関わらず常に使用されうる。さらに、セル固有ＳＲＳサブフレームにおいて、ＰＵＳＣＨに対して割り付けられたリソースがセル固有ＳＲＳ帯域幅と（たとえ部分的であっても）衝突する場合、または、ＵＥがＳＲＳも送信する場合、最後のシンボルはパンクチャされ、ＰＵＳＣＨ送信に使用されない可能性がある。
【００７５】
いくつかの設計において、非周期的ＳＲＳ送信について、一度ｅＮＢによってトリガされると、ＳＲＳがドロップされることをｅＮＢは期待しないと仮定されうる。このことに注意を払うとともに、ＰＵＳＣＨおよびＰＵＣＣＨ動作に対するインパクトがそれぞれ調べられる。
【００７６】
非周期的ＳＲＳビットがＵＬ ＤＣＩに含まれるいくつかの設計において、非周期的ＳＲＳは、ＰＵＳＣＨと共に送信されうる。最後のシンボルは、（ＴＤＤパイロットスロットまたはＵｐＰＴＳの場合を除いて）ＳＲＳに対して使用される。しかしながら、非周期的ＳＲＳが送信されるサブフレームがセル固有ＳＲＳサブフレームに属さない場合、非周期的ＳＲＳ送信は、同一セル内の他のＰＵＳＣＨ送信と衝突しうる。ＳＲＳが典型的に非ＰＵＣＣＨ領域に限定されるのに対して、ＰＵＳＣＨ送信がＰＵＣＣＨ領域を含むＵＬ帯域幅の任意の部分を占有しうることに注意されたい。かくして、所与のＵＥについて、全てのＳＲＳ送信インスタンスに対してＳＲＳおよびＰＵＳＣＨ送信帯域幅をアラインするのは難しい可能性がある。例えば、非周期的ＳＲＳがＤＬ ＤＣＩを介してトリガされると、所与のＵＥに対してスケジューリングされるＰＵＳＣＨ送信は、存在しない可能性がる。
【００７７】
非周期的送信と他のあらかじめスケジューリングされたＵＥからの送信との間でのリソースの潜在的なそのような衝突を回避するために、いくつかの設計において、ＵＬ ＤＣＩによってイネーブルされる非周期的ＳＲＳは、ＰＵＳＣＨアライメントが完全に非ＰＵＣＣＨリソース領域（例えば、ＤＣＩフォーマット２／２ａ／２ｂを除く領域）内にある場合、ＰＵＳＣＨの帯域幅と同一の帯域幅または帯域幅のフラクションを使用して送信されうる。
【００７８】
別のオプションとして、いくつかの設計において、ＰＵＳＣＨアライメントが、完全には非ＰＵＣＣＨ領域内にない場合、非周期的ＳＲＳはトリガされない可能性がある。
【００７９】
いくつかの設計において、ｅＮＢは、１つのＵＥのＰＵＳＣＨと、同一セル内の別のＵＥの非周期的ＳＲＳとの間の潜在的な衝突を制御するためのスケジューラを備えうる。いくつかの設計において、適切なスケジューリングを介しても衝突が回避不可能な場合、ｅＮＢは、単に、ＵＥのための非周期的ＳＲＳ送信をトリガしない。
【００８０】
ＰＵＳＣＨ動作の観点から、非周期的ＳＲＳ送信は、一般的に、セル固有ＳＲＳサブフレームに属さないサブフレームにおいて許可されうる。しかしながら、非周期的ＳＲＳ帯域幅が同一のＰＵＳＣＨまたはＰＵＳＣＨのサブセットである場合、非周期的ＳＲＳは、チャネル品質推定の目的のためにそれ程有益ではないであろう。一方、ＳＲＳ送信にＰＵＳＣＨとは異なる帯域幅リソースが割り付けられる場合、これは、ＳＲＳ送信が同一セル内の別のＰＵＳＣＨと衝突しうる可能性を高める。
【００８１】
いくつかの実施形態において、非周期的ＳＲＳは、チャネルをサウンディングするために復調基準信号（ＤＭ−ＲＳ）ロケーションを使用しうる。そのようなＤＭ−ＲＳリソースの使用は、部分的または全体的でありうる（すなわち、ＤＭ−ＲＳに対してあらかじめ割り当てられたいくつかまたは全ての送信リソースが、非周期的ＳＲＳ送信に対して使用されうる）。Ｒｅｌ−８およびＲｅｌ−９標準に対応するＰＵＳＣＨ送信について、ＳＲＳによって占有されるリソースが、全てのＤＭ−ＲＳロケーションでなければならないことは当業者によって認識されるであろう。いくつかの設計において、非周期的ＳＲＳ送信は、ＰＵＳＣＨのためのＤＭ−ＲＳサイクリックシフトとは異なるサイクリックシフトを使用してトリガされうる。
【００８２】
いくつかの動作的なシナリオにおいて、短縮されたＰＵＣＣＨフォーマットは、許可されない可能性がある。この場合、ＵＬ上のＳＣ波形のもとで、全てのＵＥについて、ＣＱＩ／ＡＣＫ／ＮＡＫが同時に存在する場合、ＳＲＳがドロップされる。このように、いくつかの設計において、ＳＣ波形を使用する場合、および、短縮されたＰＵＣＣＨフォーマットが動作的に使用されない場合、非周期的ＳＲＳ送信はトリガされない可能性がある。
【００８３】
しかしながら、リラックスされたＳＣ波形が動作的にサポートされる場合、周期的ＳＲＳは、ＣＱＩ／ＡＣＫ／ＮＡＫ送信信号と共に送信されうる。しかしながら、所与のＵＥについて、周期的ＳＲＳ送信およびＣＱＩ／ＡＣＫ／ＮＡＫは、一般的に、オーバラップした帯域幅を有さない。このように、いくつかの設計において、リラックスされたＳＣ波形を使用する場合、および、短縮されたＰＵＣＣＨフォーマットがサポートされない場合、セル固有ＳＲＳサブフレームに属さないサブフレームを含む非周期的ＳＲＳ送信がトリガされうる。
【００８４】
いくつかの動作的なシナリオにおいて、短縮されたＰＵＣＣＨフォーマットが使用されうる。そのようなシナリオにおいて、ＳＣ波形がＵＬ上で使用されると、ＳＲＳは、ＡＣＫ／ＮＡＫと共に送信され、後者は短縮されたＰＵＣＣＨフォーマットを使用しうる。セル固有ＳＲＳサブフレームに属さないサブフレームにおいて、通常のＡＣＫ／ＮＡＫフォーマットが使用されることに注意されたい。いくつかの設計において、ＡＣＫ／ＮＡＫは、非オーバラッピングＲＢを使用して直交しうる。いくつかの別の設計において、非周期的ＳＲＳおよびＡＣＫ／ＮＡＫ送信は、同一サブフレームでトリガおよび送信されない可能性がある。このように、いくつかの設計において、ＳＣ波形および短縮されたＰＵＣＣＨフォーマットを使用する場合、非周期的ＳＲＳ送信は、セル固有ＳＲＳサブフレームに属さないサブフレームにおいてトリガされない可能性がある。同じ設計フィロソフィは、リラックスされたＳＣ波形がＵＬ上にある場合にも適用される。
【００８５】
表１は、上で論述されたような、異なる動作的シナリオのもとで非周期的ＳＲＳ送信をトリガするためのいくつかの可能な設計を要約する。  
【表１】
0005944542.tif 000002
【００８６】
上に記述されるように、いくつかの設計において、非周期的ＳＲＳは、リラックスされたＳＣ波形がサブフレームにおいてサポートされ、セルが短縮されたＰＵＣＣＨフォーマットを構成しない場合を除き、セル固有ＳＲＳサブフレームに属さないサブフレームにおいてトリガされうる。
【００８７】
図１１は、ワイヤレス通信システムにおいて信号を受信する方法１１００を表すフローチャートである。１１０２において、セル固有送信サブフレームは、セル内の周期的ＳＲＳ送信に割り当てられうる。１１０４において、リラックスされた単一キャリア波形が使用されるか否か、および、セルが短縮されたＰＵＣＣＨフォーマットに対して構成されているか否かについての決定が行われうる。１１０６において、送信リソースは、この決定に基づいて非周期的ＳＲＳ送信に割り付けられうる。上で論述されたように、例えば、ＳＣ波形および短縮されたＰＵＣＣＨフォーマットを使用する場合、非周期的ＳＲＳ送信は、セル固有ＳＲＳサブフレームに属さないサブフレームにおいてトリガされうる。
【００８８】
図１２は、ワイヤレス通信システムにおいて信号を受信するためのｅＮＢ（図１のｅＮＢ １１０のような）の一部のブロック図１２００である。モジュール１２０２は、セル固有送信サブフレームをセル内の周期的ＳＲＳ送信に割り付けるために提供される（例えば、アロケータ）。モジュール１２０４は、リラックスされた単一キャリア波形が使用されるか否か、並びに、セルが短縮されたＰＵＣＣＨフォーマットに対して構成されるか否かを決定するために提供される（例えば、決定器）。モジュール１２０６は、決定に基づいて送信リソースを非周期的ＳＲＳ送信に割り付けるために提供される（例えば、プロセッサ）。
【００８９】
図１３は、ワイヤレス通信システムにおいて信号を送信する方法１３００を表すフローチャートである。１３０２において、セル内の周期的ＳＲＳ送信に対するセル固有送信サブフレームの割付が受信されうる。１３０４において、リラックスされた単一キャリア波形が使用されるか否か、並びに、セルが短縮された物理アップリンク制御チャネル（ＰＵＣＣＨ）フォーマットに対して構成されるか否かが決定されうる。１３０６において、少なくとも１つの非周期的ＳＲＳ送信は、決定に基づいて選択的に送信している。
【００９０】
図１４は、ワイヤレス通信システムにおいて信号を受信するための（例えば、図１のＵＥ １２０のような）ＵＥの一部を表すブロック図１４００である。モジュール１４０２は、セル内の周期的ＳＲＳ送信に対するセル固有送信サブフレームの割付を受信するために提供される。モジュール１４０４は、リラックスされた単一キャリア波形が使用されるか否か、並びに、セルが短縮された物理アップリンク制御チャネル（ＰＵＣＣＨ）フォーマットに対して構成されているか否かを決定するために提供される。モジュール１４０６は、この決定に基づいて非周期的ＳＲＳ送信を選択的に送信するために提供される。
【００９１】
Ｒｅｌ−８およびＲｅｌ−９において、周期的ＳＲＳ送信帯域幅を特定するために、以下のパラメータが定められる。
【００９２】
送信コームＫＴＣ；開始物理リソースブロック割当ｎＲＲＣ、ＳＲＳ帯域幅ＢＳＲＳ、サイクリックシフト  
【数１】
0005944542.tif 000003
【００９３】
、周波数ホッピング帯域幅ｂｈｏｐ。これらのパラメータは、関連部分が簡略化のために省略され、参照によって本明細書に組み込まれる、３ＧＰＰ ＴＳ ３６．２１１標準Ｅ−ＵＴＲＡのセクション５．５．３．２：物理チャネルおよび変調という文書において定義される。
【００９４】
いくつかの設計において、ｅＮＢがダウンリンクメッセージにおいて非周期的送信のトリガリングを示す場合、対応する非周期的ＳＲＳ送信は、単発（one-shot）でありうる。すなわち、ＳＲＳは、所与のトリガリング後の１つの後続サブフレームでのみ送信されうる。いくつかの設計において、非周期的ＳＲＳ送信は、「マルチショット（multi-shot）」でありうる。すなわち、１つのトリガは、複数の非周期的ＳＲＳ送信に帰着しうる。非周期的をトリガすることが「単発」または「マルチショット」送信に帰着する否かについての動作的な状態は、ｅＮＢからＵＥへのレイヤ３メッセージを介して構成されうる。いくつかの設計において、レイヤ３メッセージは、いくつの非周期的送信がトリガリングによって引き起こされうるかを伝達しうる。これは、数（例えば、２または１０個の送信）として、あるいは、期間（例えば、次の１０ミリ秒または１０個のサブフレーム）として特定されうる。
【００９５】
非周期的ＳＲＳの使用が、周期的ＳＲＳに対する補完または置換のいずれかでありうることは認識されるであろう。後者について、レイヤ３再構成の間に、小さい帯域幅に固定されたＳＲＳを制限することは望まれない可能性がある。かくして、いくつかの設計において、ｅＮＢは、最大でセル固有ＳＲＳ帯域幅と同じ大きい帯域幅を有するように非周期的ＳＲＳの送信を構成しうる。
【００９６】
いくつかの設計において、非周期的ＳＲＳのロケーションは、レイヤ３構成可能パラメータｋＴＣ、ｎＲＲＣ、ＢＳＲＳ、ｂｈｏｐおよびｎＳＲＳに基づいて決定されうる。これは、サブフレームインデックスとフレームインデックスの関数である。いくつかの設計において、非周期的ＳＲＳ送信を定義するパラメータのセットは、周期的ＳＲＳ送信を定義するものとは異なりうる。Ｒｅｌ−８にあるようなＵｐＰＴＳケースの特別な処理は同様に適用されうる。
【００９７】
いくつかの設計において、ＵＥは、可能なＳＲＳ送信ロケーション（リソース割当）のセットと構成されたレイヤ３でありうる。非周期的ＳＲＳ送信に対してトリガされると、ＵＥは、現在のサブフレーム数およびフレーム数に基づいて、セットからリソースのサブセットを使用しうる。
【００９８】
いくつかの設計において、非周期的ＳＲＳ送信に使用されるべきアンテナのロケーション、帯域幅、およびＡｎｔＩｎｄ（アンテナインデックス）のような様々なＳＲＳ構成パラメータは、ダウンリンク制御メッセージにおいて明示的に示されうる。いくつかの設計において、ＳＲＳトリガリングに対するビット数は、ＵＥが、どのＳＲＳロケーション、帯域幅、および／または、ＡｎｔＩｎｄが使用されるべきかに関する情報を与えられるように、１よりも大きくなりうる。例えば、ＵＥは、ＳＲＳロケーションおよび／または帯域幅および／またはアンテナインデックスの４つの可能な組み合わせで構成され、２ビットのＳＲＳトリガリングフィールドは、ダウンリンク制御メッセージに組み込まれ（例えば、ＤＣＩ）、それによって、２ビットのフィールドが「００」の場合に、第１のＳＲＳロケーションおよび／または帯域幅および／またはＵＬアンテナインデックスが使用され、２ビットフィールドが「０１」の場合に、第２のＳＲＳロケーションおよび／または帯域幅および／またはＵＬアンテナインデックスが使用され、２ビットフィールドが「１０」の場合に、第３のＳＲＳロケーションおよび／または帯域幅および／またはＵＬアンテナインデックスが使用され、２ビットフィールドが「１１」の場合に、第４のＳＲＳロケーションおよび／または帯域幅および／またはＵＬアンテナインデックスが使用されうる。
【００９９】
いくつかの設計において、非周期的ＳＲＳ送信に割り当てられる周波数リソースは、連続的でありうる。いくつかの別の設計において、非周期的ＳＲＳ送信に割り当てられる周波数リソースは、連続的ではない可能性がある。
【０１００】
いくつかの設計において、暗示的なシグナリングアプローチと明示的なシグナリングアプローチとの混合が使用されうる。例えば、パラメータのうちのいくつかは、ダウンリンクメッセージにおいて明示的にシグナリングされ、非周期的ＳＲＳ送信についての別の構成パラメータは、暗示的にシグナリングされうる。
【０１０１】
いくつかの設計において、サブフレーム内にＰＵＳＣＨ送信が存在する場合、スケジューリング要求（ＳＲ）は、ＭＡＣペイロードの一部である。このような場合、非周期的ＳＲＳとＳＲとの間にはインタラクションがない。あるいは、いくつかの設計において、非周期的ＳＲＳ送信がＤＬ ＤＣＩを介してトリガされると、ＳＲは、ＰＵＣＣＨ上で送信されうる。ＳＣ波形ＵＬを使用する場合、非周期的ＳＲＳは、短縮されたＳＲＳフォーマットがない場合にＳＲＳがドロップしうるため、ＳＲＳ送信のために構成されたサブフレームではトリガされない可能性がある。リラックスされたＳＣ波形ＵＬを使用する場合、ＳＲＳおよびＳＲは同時に送信されうる。
【０１０２】
このように、いくつかの設計において、ＰＵＳＣＨ送信がサブフレームに存在せず、ＳＣ波形が短縮されたＰＵＣＣＨフォーマットをサポートしない場合、非周期的ＳＲＳ送信は、ＳＲサブフレームにおいてトリガされない可能性がある。別のサブフレームは、非周期的ＳＲＳ送信をトリガするために使用されうる。
【０１０３】
図１５は、ワイヤレス通信システムにおいて信号を送信する方法１５００を表すフローチャートである。１５０２において、物理アップリンク共有制御チャネル（ＰＵＳＣＨ）送信がサブフレームにおいて実行されるか否かが決定されうる。１５０４において、ＰＵＳＣＨ送信がサブフレームで実行されない場合、短縮されたＰＵＣＣＨがサブフレームで使用されないと、スケジューリングＳＲを備えるサブフレームでの非周期的ＳＲＳの送信が抑圧されうる。
【０１０４】
図１６は、ワイヤレス通信システムにおいて信号を受信するＵＥ（図１のＵＥ １２０のような）の一部を表すブロック図１６００である。モジュール１６０２は、ＰＵＳＣＨ送信がサブフレームで実行されるか否かを決定するために提供される。モジュール１６０４は、ＰＵＳＣＨ送信がサブフレームで実行されない場合、短縮されたＰＵＣＣＨがサブフレームで使用されないと、スケジューリング要求（ＳＲ）を備えるサブフレームでの非周期的ＳＲＳの送信を抑圧するために提供される。
【０１０５】
いくつかの設計において、非周期的ＳＲＳ送信が周期的ＳＲＳ送信を補完する場合、すなわち、あらかじめスケジューリングされた周期的ＳＲＳ送信に加えてトリガされる場合、２つのＳＲＳ送信は、異なるセル固有ＳＲＳサブフレームで送信されるように、時間ドメイン多重化（ＴＤＭ）されうる。あるいは、周期的および非周期的ＳＲＳ送信は、同じサブフレームを共有しうる。一般的に、ｅＮＢは、周期的および非周期的ＳＲＳ送信が、送信のために互いにどのように統合されるかを制御しうる。いくつかの設計において、ＵＥ固有ＳＲＳ帯域幅の同じセットが、周期的ＳＲＳ送信および非周期的ＳＲＳ送信のために使用されうる。
【０１０６】
いくつかの設計において、非周期的および周期的送信のための送信リソースがオーバラップしない場合、周期的ＳＲＳおよび非周期的ＳＲＳの両方が送信されうる。いくつかの設計において、非周期的送信のための送信リソースと周期的送信のための送信リソースとがオーバラップする場合、非周期的ＳＲＳが瞬間的な（または、短期の）必要性に基づいてトリガされうるため、非周期的ＳＲＳが送信され、周期的ＳＲＳ送信は抑圧されうる。いくつかの設計において、非周期的ＳＲＳ送信は、周期的ＳＲＳ送信に対して定義されたＵＥ固有ＳＲＳ構成パラメータと同じセットを使用しうる。いくつかの設計において、瞬間的な必要性に依存して、より多くまたはより少ない帯域幅が、非周期的ＳＲＳ送信に割り付けられうる。
【０１０７】
図１７は、ワイヤレス通信システムにおいて信号を送信する方法１７００を表すフローチャートである。１７０２において、サブフレームにおける周期的ＳＲＳ送信のための送信リソースが非周期的ＳＲＳ送信のための送信リソースとオーバラップするか否かが決定されうる。１７０４において、非周期的のための送信リソースと周期的送信のための送信リソースとオーバラップしない場合、非周期的ＳＲＳ送信および周期的ＳＲＳ送信の両方が送信されうる。１７０６において、非周期的ＳＲＳ送信のための送信リソースと周期的ＳＲＳ送信のための送信リソースとがオーバラップする場合、非周期的ＳＲＳ送信信号だけが送信されうる。
【０１０８】
図１８は、ワイヤレス通信システムにおいて信号を受信するためのＵＥ（図１のＵＥ １２０のような）の一部を表すブロック図１８００である。モジュール１８０２は、サブフレームにおける周期的ＳＲＳ送信のための送信リソースが非周期的ＳＲＳ送信のための送信リソースとオーバラップするか否かを決定するために提供されうる。モジュール１８０４は、非周期的ＳＲＳ送信のための送信リソースと周期的ＳＲＳ送信のための送信リソースとがオーバラップしない場合に、非周期的ＳＲＳ送信および周期的ＳＲＳ送信の両方を送信するために提供される。モジュール１８０６は、非周期的ＳＲＳ送信のための送信リソースと周期的ＳＲＳ送信のための送信リソースとがオーバラップする場合に、非周期的ＳＲＳ送信だけを送信するために提供される。
【０１０９】
ＬＴＥ−Ａのようないくつかのワイヤレスシステムにおいて、単一ユーザＭＩＭＯ（ＳＵ−ＭＩＭＯ）がＵＬにおいてサポートされうる。ＵＥは、１よりも多くのアンテナを備えうる。例えば、いくつかの設計において、２または４個の仮想ＵＬアンテナが定義されうる。そのような設計において、非周期的ＳＲＳトリガリングは、２または４個の仮想ＵＬアンテナを個別にトリガするように構成されうる。例えば、いくつかの設計では、１つのトリガリングダウンリンクメッセージだけが使用されうるが、一度設定されると、メッセージは、全てのアンテナからの同時ＳＲＳ送信をトリガしうる。あるいは、いくつかの設計では、所与のダウンリンクメッセージが、たった１つのアンテナからの非周期的送信をトリガしうる。使用されるアンテナのアイデンティティは、トリガリングメッセージによって特定されうるか、あるいは、あらかじめ決定されうる。このアイデンティティは、より高いレイヤメッセージによって構成されうる。
【０１１０】
いくつかの設計において、所与のダウンリンクメッセージは、１つのアンテナのために非周期的送信をトリガするが、後続のＳＲＳ送信のために使用されるアンテナは、全ての可能な送信アンテナの中でＵＥによって順に交代されうる。例えば、ＵＥが２つのアンテナ、アンテナ０およびアンテナ１、を有する場合、ＵＥは、第１のトリガに基づいてアンテナ０を、第２のトリガに基づいてアンテナ１を、第３のトリガに基づいてアンテナ０を使用して非周期的ＳＲＳ送信を実行しうる。いくつかの設計において、アンテナ切り換えメカニズムは、サブフレームインデックスおよびフレームインデックスを使用し、それは、ｎＳＲＳのフォーマットでありうる。この切り換えは、ｎＳＲＳが奇数であるか偶数であるか、並びに、他の可能なパラメータ（例えば、ホッピングであるいか否かなど）に依存しうる。
【０１１１】
いくつかの設計において、複数の独立トリガリングメッセージが使用され、それぞれＵＥの所与のアンテナをアドレスする。例えば、いくつかの設計において、ダウンリンクメッセージは、１または複数のビットを使用して非周期的ＳＲＳ送信をトリガし、さらに、追加の１または複数のビットを使用して使用されるべきアンテナを特定しうる。
【０１１２】
いくつかの設計において、ｅＮＢは、上で論述されたように、複数のアンテナシグナリングモードのうちの１つを決定し、より高いレイヤのメッセージを使用して、ＵＥに対して使用されるべきモードを示しうる。
【０１１３】
図１９は、ワイヤレス通信システムにおいて信号を受信する方法１９００を表すフローチャートである。１９０２において、ＵＥのために少なくとも１つの非周期的ＳＲＳ送信をトリガするためのダウンリンク制御メッセージが送信されうる。１９０４において、少なくとも１つの非周期的ＳＲＳ送信が、ＵＥの既定の送信アンテナのセットから受信されうる。上で論述されたように、アンテナの既定のセットは、１または複数のアンテナを含み、アンテナシーケンスに基づきうる。
【０１１４】
図２０は、ワイヤレス通信システムにおいて信号を受信するための（図１のｅＮＢ １１０のような）ｅＮＢの一部を表すブロック図２０００である。モジュール２００２は、ＵＥのための少なくとも１つの非周期的ＳＲＳ送信をトリガするためのダウンリンク制御メッセージを送信するために提供される。モジュール２００４は、ＵＥの既定の送信アンテナのセットから少なくとも１つのＳＲＳ送信を受信するために提供される。
【０１１５】
図２１は、ワイヤレス通信システムにおいて非周期的ＳＲＳを送信する方法２１００を表すフローチャートである。２１０２において、非周期的ＳＲＳ送信トリガリングメッセージが（例えば、ダウンリンク制御メッセージを介して）受信されうる。２１０４において、ＵＥの送信アンテナの既定のセットから非周期的ＳＲＳ送信信号が送信されうる。前に論述されたように、あるいは、ダウンリンク制御メッセージは、非周期的ＳＲＳ送信に使用されるべき送信アンテナを示しうる。
【０１１６】
図２２は、（図１のＵＥ １２０のような）ＵＥの一部のブロック図２２００である。モジュール２２０２は、非周期的ＳＲＳ送信トリガリングメッセージを受信するために提供される。モジュール２２０４は、ＵＥの既定の送信アンテナのセットから非周期的ＳＲＳ送信信号を送信するために提供される。
【０１１７】
いくつかの設計において、ＴＤＤで動作する場合、周期的ＳＲＳは、アップリンクパイロット時間スロット（ＵｐＰＴＳ）で送信されうる。ＵｐＰＴＳがいずれのＰＵＣＣＨおよびＰＵＳＣＨ送信を含まないため、上で論述されたタイミング関係の後に非周期的ＳＲＳ送信をトリガできない可能性がある（例えば、ＵＬ ＤＣＩでのトリガリングは、ＰＵＳＣＨに帰着し、ＤＬ ＤＣＩでのトリガリングは、ＡＣＫ／ＮＡＫの後の非周期的ＳＲＳ送信に帰着しうる）。しかしながら、特に、ＵｐＰＴＳにおいて最大で２つのシンボルがＳＲＳ送信に対して利用可能であれば、ＵｐＰＴＳにおいても非周期的ＳＲＳ送信をサポートすることが望まれうる。さらに、ＴＤＤ動作において、ＵＬシステム帯域幅全体をサウンディングすることが可能でありうる。
【０１１８】
このように、いくつかの設計において、ＤＬおよび／またはＵＬ ＤＣＩは、ＵｐＰＴＳにおいて非周期的ＳＲＳ送信をトリガするために使用されうる。そのようなトリガリングは、チャネルを有意に最適化する機会を提供し、それによって、特に、ＤＬの重い（heavy）構成において特に有利となりうる。例えば、８個のフルＤＬサブフレーム、１つの特別なサブフレーム、および１つのＵＬサブフレームが存在する構成５において、いくつかの設計では、ＤＬサブフレームのいくつかが、ＵｐＰＴＳにおいて非周期的ＳＲＳ送信をトリガしうる。これは、例えば、ＤＬ ＤＣＩを使用して実行されうる。いくつかの設計において、異なるサブフレームは、チャネル帯域幅全体のサウンディングを確実にするために、ＵｐＰＴＳおよび／または通常のＵＬサブフレームにおいて異なるＳＲＳ送信ロケーションおよび／または帯域幅をトリガしうる。そのために、いくつかの設計では、２つ以上のＤＬサブフレームは、異なるロケーションおよび／または帯域幅および／またはＵＬアンテナにおいて非周期的ＳＲＳ送信をトリガするために指定される異なるＤＬサブフレームとともに、ＵｐＰＴＳまたは通常のＵＬサブフレームにおいて非周期的ＳＲＳをトリガするように指定される。いくつかの設計において、ＵＥは、複数のＤＬサブフレームから受信された単一のトリガだけに基づいて非周期的ＳＲＳ送信を実行するように構成されうる。例えば、ＵＥは、第１の受信された非周期的ＳＲＳトリガリングダウンリンクメッセージに基づいてのみ送信しうる。
【０１１９】
図２３は、ワイヤレス通信システムにおいて信号を受信する方法２３００を表すフローチャートである。２３０２において、ＴＤＤチャネルがＵＥと確立されうる。２３０４において、送信リソースは、ＵｐＰＴＳにおいてＵＥからの非周期的ＳＲＳ送信に割り付けられうる。２３０６において、ダウンリンク制御メッセージは、非周期的ＳＲＳ送信をトリガするために送信されうる。
【０１２０】
図２４は、ワイヤレス通信システムにおいて信号を受信するための（図１のｅＮＢ １１０のような）ｅＮＢの一部を表すブロック図２４００である。モジュール２４０２は、ＴＤＤチャネルをＵＥと確立するために提供される。モジュール２４０４は、ＵｐＰＴＳ（例えば、アロケータ）において送信リソースを非周期的ＳＲＳ送信に割り付けるために提供される。モジュール２４０６は、非周期的ＳＲＳ送信（例えば、送信機）をトリガするためのダウンリンク制御メッセージを送信するために提供される。
【０１２１】
図２５は、非周期的ＳＲＳ送信方法２５００を表すフローチャートである。２５０２において、時間ドメイン多重化（ＴＤＤ）チャネルが確立されうる。２５０４において、アップリンクパイロット時間スロット（ＵｐＰＴＳ）における非周期的ＳＲＳ送信のための送信リソースが受信されうる。２５０６において、非周期的ＳＲＳ送信をトリガするためのダウンリンク制御メッセージが受信されうる。
【０１２２】
図２６は、ワイヤレス通信システムにおいて信号を受信するための（図１のＵＥ １２０のような）ＵＥの一部を表すブロック図２６００である。モジュール２６０２は、時間ドメイン多重化（ＴＤＤ）チャネルを確立するために提供される。モジュール２６０４は、アップリンクパイロット時間スロット（ＵｐＰＴＳ）において非周期的ＳＲＳ送信のための送信リソースを受信するために提供される。モジュール２６０６は、非周期的ＳＲＳ送信をトリガするためのダウンリンク制御メッセージを受信するために提供される。
【０１２３】
いくつかのワイヤレスネットワークにおいて、ＵＥは、複数のコンポーネントキャリア（ＣＣ）を使用して動作するように構成されうる。そのような構成において、複数のＣＣにわたって複数のＤＬ ＰＤＳＣＨ送信に応答した複数のＡＣＫ／ＮＡＫの送信は、単一のＵＬアンカキャリアで生じるように、レイヤ３を介して構成されうる。いくつかの設計において、１つのＤＬキャリアに対するＡＣＫ／ＮＡＫの送信は、ペアリングされたＵＬキャリア上で実行されうる。
【０１２４】
複数のキャリアの利用可能性は、少なくとも次の問題を生じさせる。
【０１２５】
問題１：非周期的ＳＲＳがトリガされた場合、対応するＳＲＳ送信信号を送信するためにＵＥはどのＵＬキャリアを使用するべきか？
【０１２６】
問題２：２つ以上のトリガが１つのＵＬキャリアに対して受信された場合、ＵＥはそのような複数のトリガをどのように処理するべきか？
【０１２７】
問題１に対処するために、いくつかの設計において、ＳＲＳを送信するために使用されるＵＬキャリアは、ＡＣＫ／ＮＡＫ関連付けおよびＰＵＳＣＨ関連付けに基づきうる。例えば、いくつかの設計において、非周期的ＳＲＳがＵＬ ＤＣＩを介してトリガされると、対応する非周期的ＳＲＳ送信信号は、ＰＵＳＣＨと同一のキャリアを使用して送信されうる。いくつかの設計において、非周期的ＳＲＳがＤＬ ＤＣＩを介してトリガされると、対応する非周期的ＳＲＳ送信は、ＡＣＫ／ＮＡＫと同一のキャリアを使用しうる。いくつかの設計において、非周期的ＳＲＳがＳＲＳ ＤＣＩを介してトリガされると、対応する非周期的ＳＲＳの関連付けは、ＰＵＳＣＨ、ＡＣＫ／ＮＡＫ、または、ＤＬ／ＵＬペアリングに基づいて行われうる。
【０１２８】
問題２に対処するために、いくつかの設計において、ＵＬキャリアごとに、ＵＥが２つ以上のトリガを受信する場合、ＵＥは、ペアリングＤＬキャリアから受信されたトリガに基づいて、対応する非周期的ＳＲＳ送信を実行するだけである。いくつかの別の設計において、異なるＳＲＳ性質を有する複数のＳＲＳ送信は、ＤＬ上で示される異なるトリガによって示されうる。
【０１２９】
図２７は、ワイヤレス通信システムにおいて信号を受信する方法２７００を表すフローチャートである。２７０２において、ＵＥは、複数のＣＣを用いて構成されうる。２７０４において、ＵＥからの非周期的ＳＲＳ送信は、制御メッセージに基づいてトリガされうる。
【０１３０】
図２８は、ワイヤレス通信システムにおいて信号を受信するためのｅＮＢ（図１のｅＮＢ １１０のような）の一部を表すブロック図２８００である。モジュール２８０２は、複数のＣＣを用いてＵＥを構成するために提供される。モジュール２８０２は、制御メッセージに基づいて非周期的ＳＲＳ送信をトリガするために提供される。
【０１３１】
図２９は、ワイヤレス通信システムにおいて非周期的サウンディング基準信号（ＳＲＳ）の送信を容易にする方法２９００を表すフローチャートである。２９０２において、ＵＥは、複数のコンポーネントキャリア（ＣＣ）を用いて構成されうる。２９０４において、非周期的ＳＲＳ送信は、受信された制御メッセージに基づいて実行されうる。キャリアは、非周期的ＳＲＳ送信のために、前に論述された様々なルールの中から選択されうる。
【０１３２】
図３０は、非周期的ＳＲＳを送信するためのＵＥ（図１のＵＥ １２０のような）の一部を表すブロック図３０００である。モジュール３００２は、複数のコンポーネントキャリア（ＣＣ）を用いてＵＥを構成するために提供される。モジュール３００４は、受信された制御メッセージに基づいて非周期的ＳＲＳ送信を実行するために提供される。
【０１３３】
いくつかの設計において、ＵＥは、Ｒｅｌ−８およびＲｅｌ−９の周期的ＳＲＳ電力制御に対して定義された同様のテクニックを用いて非周期的ＳＲＳ送信に対して電力制御を実行しうる。いくつかの設計において、ＰＵＳＣＨに使用されものと同一の送信電力制御内側ループが、非周期的ＳＲＳ送信の電力を制御するために使用されうる。いくつかの設計において、非周期的ＳＲＳ送信の送信電力は、いくつかの周知のテクニックのうちの１つを使用して送信帯域幅に基づいて調整されうる。このように、いくつかの設計において、送信電力は、実際の非周期的ＳＲＳ送信帯域幅に基づいて調整され、これは、一般的に、周期的ＳＲＳ送信のそれとは異なりうる。
【０１３４】
図３１は、ワイヤレス通信システムにおいて信号を受信する方法３１００を表すフローチャートである。３１０２において、非周期的ＳＲＳ送信の送信電力を制御するための電力制御情報は、より高いレイヤのメッセージで送信されうる。３１０４において、電力制御された非周期的ＳＲＳ送信が受信されうる。
【０１３５】
図３２は、ワイヤレス無線システムにおいて信号を受信するための（図１のｅＮＢ １１０のような）ｅＮＢの一部を表すブロック図３２００である。方法３２０２は、より高いレイヤメッセージにおいて、非周期的ＳＲＳ送信の送信電力を制御するための電力制御情報を送信するために提供される。モジュール３２０４は、電力制御された非周期的ＳＲＳ送信を受信するために提供される。
【０１３６】
図３３は、ワイヤレス通信システムにおいて信号を送信する方法を表すフローチャート３３００である。３３０２において、電力制御情報は、より高いレイヤの制御メッセージ（例えば、レイヤ３）を介して受信されうる。３３０４において、非周期的ＳＲＳ送信の送信電力は、受信された電力制御情報に基づいて制御されうる。
【０１３７】
図３４は、ワイヤレス通信システムにおいて信号を受信するための（図１のＵＥ １２０のような）ＵＥの一部を表すブロック図３４００である。モジュール３４０２は、より高いレイヤメッセージにおいて、電力制御情報を受信するために提供される。モジュール３４０４は、受信された電力制御情報に基づいて非周期的ＳＲＳ送信の送信電力を制御するために提供される。
【０１３８】
いくつかの設計において、ｅＮＢは、ダウンリンク制御メッセージのフォーマット（例えば、ＤＣＩ）をあるサイズから別のサイズへと再構成しうる。非周期的ＳＲＳ送信が再構成の間にダウンリンク制御メッセージの一部に基づいてトリガされると、ｅＮＢがＵＥとの通信に信頼して使用することができる共通ＤＣＩフォーマットが存在しない可能性がある。そのような再構成期間の間に非周期的ＳＲＳ送信のトリガリングをイネーブルするために、いくつかの設計において、ＳＲＳトリガリングは、例えば、ＤＣＩフォーマット０およびＤＣＩフォーマット１Ａ以外のＤＣＩフォーマットなど、いくつかのダウンリンク制御メッセージフォーマットに対してのみイネーブルされうる。いくつかの設計において、非周期的ＳＲＳトリガリングは、ＤＣＩフォーマットおよび１Ａ以外の全てのＤＣＩフォーマットに対してトリガされ、ＳＲＳトリガリングは、共通探索スペースにおいてイネーブルされない可能性がある。複数のキャリアを使用するワイヤレスシステムにおいて、少なくとも１つのキャリアは、これらの構成オプションのうちの１つに従うように構成されうる。
【０１３９】
図３５は、ワイヤレス通信システムにおいて信号を受信する方法３５００を表すフローチャートである。３５０２において、ダウンリンクメッセージのフォーマットが再構成されうる。３５０４において、再構成の間に、非周期的ＳＲＳ送信が、ダウンリンク制御メッセージを使用してトリガされうる。
【０１４０】
図３６は、ワイヤレス通信システムにおいて信号を受信するためのｅＮＢ（図１のｅＮＢ １１０のような）の一部を表すブロック図３６００である。モジュール３６０２は、ダウンリンク制御メッセージのフォーマットを再構成するために提供される。モジュール３６０４は、ダウンリンク制御メッセージを使用することによって再構成の間に非周期的ＳＲＳ送信をトリガするために提供される。
【０１４１】
図３７は、ワイヤレス通信システムにおいて非周期的サウンディング基準信号（ＳＲＳ）送信を実行する方法３７００を表すフローチャートである。３７０２において、非周期的ＳＲＳ送信のための送信リソース割付メッセージが受信されうる。３７０４において、ダウンリンク制御情報（ＤＣＩ）メッセージに基づいて、非周期的ＳＲＳ送信が実行されうる。ＤＣＩメッセージは、ＤＣＩメッセージが共通検索スペースで送信されうる場合にフォーマット０および１Ａが使用されないように、メッセージフォーマット０および１Ａを含む複数の可能なメッセージフォーマットから選択されうる。
【０１４２】
図３８は、ワイヤレス通信システムにおいて非周期的ＳＲＳを送信するためのＵＥ（図１のＵＥ １２０のような）の一部を表すブロック図３８００である。モジュール３８０２は、非周期的ＳＲＳ送信のための送信リソース割付メッセージを受信するために提供される。モジュール３８０４は、ダウンリンク制御情報（ＤＣＩ）メッセージに基づいて、非周期的ＳＲＳ送信を実行するために提供される。ＤＣＩメッセージは、ＤＣＩメッセージが共通検索スペースで送信される場合にフォーマット０および１Ａが使用されないように、メッセージフォーマット０および１Ａを含む複数の可能なメッセージフォーマットから選択される。
【０１４３】
いくつかのワイヤレスネットワークは、リレーバックホール動作のために構成されうる。リレーバックホールは、計画された展開でありうるが、リレー関数を実行するＵＥは、どこにでも存在しうる。典型的なリレーバックホール構成において、ＵＥは、しかしながら、ｅＮＢと良いチャネル（例えば、見通し線（line-of-sight））を有しうる。このように、典型的なリレーバックホール展開において、プリコーディング、マルチユーザＭＩＭＯ（ＭＵ−ＭＩＭＯ）、集約レベルのような最適化オプションが使用されうる。ＬＴＥ−Ａにおいて、リレーバックホールのための新しいＰＤＣＣＨ（そのため、Ｒ−ＰＤＣＣＨと呼ばれる）、または、異種ネットワーク内のＬＴＥ−Ａ ＵＥのための新しいＰＤＣＣＨについてのいくつかの論述が存在する。ここで、新しいＰＤＣＣＨ（Ｒ−ＰＤＣＣＨ）は、データ領域を占有する。
【０１４４】
図３９は、Ｒ−ＰＤＣＣＨのための例示的なリソース利用を示す。平行軸３９１０は、時間（例えば、時間スロット）を表し、垂直軸３９１２は周波数を表す。図３９で示されているように、Ｒ−ＰＤＣＣＨは、Ｒｅｌ−８／Ｒｅｌ−９制御領域３９０８から離れて、データ領域３９０６に組み込まれた送信リソース３９０２、３９０４が割り付けられうる。
【０１４５】
一般的に、非周期的ＲＳ送信のダウンリンクトリガリングインジケーション、帯域幅選択、タイミング、マルチキャリア動作、再構成フォールバック動作などに関する上の論述の大半は、リレーバックホール構成においいて繰り返しうる（carry over）。
【０１４６】
図４０は、ワイヤレス通信システムにおいて信号を受信する方法４０００を表すフローチャートである。４００２において、送信リソースは、非周期的ＳＲＳ送信に割り付けられうる。４００４において、非周期的ＳＲＳ送信は、Ｒ−ＰＤＣＣＨにおいてダウンリンク制御メッセージを送信することによってトリガされうる。
【０１４７】
図４１は、ワイヤレス通信システムにおいて信号を受信するための（図１のｅＮＢ １１０のような）ｅＮＢの一部を表すブロック図４１００である。モジュール４１０２は、非周期的ＳＲＳ送信に送信リソースを割り付けるために提供される。モジュール４１０４は、Ｒ−ＰＤＣＣＨでダウンリンク制御メッセージを送信することによって、非周期的ＳＲＳ送信をトリガするために提供される。
【０１４８】
図４２は、ワイヤレス通信システムにおいて非周期的ＳＲＳ送信を送信する方法４２００を表すフローチャートである。４２０２において、非周期的ＳＲＳ送信のための送信リソース割付が受信されうる。４２０４において、非周期的ＳＲＳ送信は、リレー物理ダウンリンク制御チャネル（Ｒ−ＰＤＣＣＨ）で受信されたダウンリンク制御メッセージに基づいて実行されうる。
【０１４９】
図４３は、非周期的ＳＲＳ送信信号を送信するための（図１のＵＥ １２０のような）ＵＥの一部を表すブロック図４３００である。モジュール４３０２は、非周期的ＳＲＳ送信のために送信リソース割付を受信するために提供される。モジュール４３０３は、リレー物理ダウンリンク制御チャネル（Ｒ−ＰＤＣＣＨ）で受信されるダウンリンク制御メッセージに基づいて非周期的ＳＲＳ送信を実行するために提供される。
【０１５０】
図４４は、ワイヤレス通信システムで使用するための信号送信方法４４００を表すフローチャートである。４４０２において、サブフレームにおいてＣＱＩを送信するための構成が受信されうる。例えば、構成は、ＣＱＩの送信用のサブフレームが、暗示的（例えば、４ミリ秒後）または明示的に示されるダウンリンク制御メッセージでありうる。４４０４において、トリガは、同一のアップリンク送信サブフレームにおいて、非周期的ＳＲＳを送信するために受信されうる。トリガは、前に論述されたようなダウンリンクメッセージの１または複数のビットを備えうる。さらに、いくつかの設計において、ＣＱＩ送信のためのトリガおよび構成は、同一のダウンリンク制御メッセージにおいて受信されうる。受信された構成およびトリガに基づいて、いくつかの設計において、ＵＥは、サブフレームでＣＱＩを送信しうるが、このサブフレームで非周期的ＳＲＳを送信しない可能性がある。あるいは、受信された構成およびトリガに基づいて、いくつかの設計では、ＵＥは、受信されたメッセージによって指定されたサブフレームにおいて非周期的ＳＲＳを送信しうるが、この指定のサブフレームでＣＱＩを送信しない。
【０１５１】
図４５は、（図１のＵＥ １２０のような）ＵＥの一部を表すブロック図４５００である。モジュール４５０２は、サブフレームにおいてチャネル品質インジケータ（ＣＱＩ）メッセージを送信するための構成を受信するために提供される。モジュール４５０４は、サブフレームにおいて非周期的サウンディング基準信号（ＳＲＳ）を送信するためのトリガを受信するために提供される。
【０１５２】
ＳＲＳ送信へのいくつかの強化が本明細書に記述されていることは認識されるであろう。１つの態様において、既存のＲｅｌ−８おおびＲｅｌ−９ダウンリンク制御メッセージを変更することによってＳＲＳの送信をトリガするための方法が開示される。トリガリングメッセージが送信（および受信）された後の非周期的ＳＲＳの送信のタイミングルールも開示される。
【０１５３】
さらに、非周期的ＳＲＳ送信とセル固有ＳＲＳサブフレームとの間のインタラクションが開示されることが認識されるであろう。非周期的ＳＲＳ送信のためのリソースロケーションおよび／または非周期的ＳＲＳ送信に利用される帯域幅についての選択のための様々なテクニックが開示される。
【０１５４】
加えて、ＳＲとの、および、周期的ＳＲＳ送信との、非周期的ＳＲＳ送信の共存およびインタラクションのための様々なテクニックが開示される。非周期的送信のためにＵＥアンテナのうちの１または複数を使用するためのいくつかのテクニックが提供される。ＵｐＰＴＳ上でのＳＲＳ送信のＴＤＤシステムおよびピギーバックにおける非周期的ＳＲＳ送信の使用も論述される。さらに、ダウンリンク制御メッセージングフォーマット（「フォールバック動作（fallback operation）」）の再構成の間に非周期的ＳＲＳ送信をトリガするためのテクニックが開示される。非周期的ＳＲＳ送信シングの送信に対して有効であり、一般的にリレーバックホール構成における新しい可能なＰＤＣＣＨリソース領域が開示される。
【０１５５】
ある設計において、より高いレイヤメッセージで、非周期的ＳＲＳ送信の送信電力を制御するための電力制御情報を送信すること、および、電力制御された非周期的ＳＲＳ送信を受信することを含むワイヤレス通信のための方法が提供される。
【０１５６】
別の設計において、より高いレイヤメッセージにおいて、非周期的ＳＲＳ送信の送信電力を制御するための電力制御情報を送信するための手段、および、電力制御された非周期的ＳＲＳ送信を受信するための手段を含むワイヤレス通信のための装置が提供される。
【０１５７】
さらに別の設計において、より高いレイヤメッセージにおいて、電力制御情報を受信すること、および、受信された電力制御情報に基づいて非周期的ＳＲＳ送信の送信電力を制御することを含むワイヤレス通信のための方法が提供される。
【０１５８】
他の設計において、より高いレイヤメッセージにおいて、電力制御情報を受信するための手段、および、受信された電力制御情報に基づいて非周期的ＳＲＳ送信の送信電力を制御するための手段を含むワイヤレス通信のための装置が提供される。
【０１５９】
ある設計において、ワイヤレス通信ネットワークのリレーバックホールにおいて非周期的サウンディング基準信号（ＳＲＳ）送信をトリガする方法が提供される。方法は、リレー物理ダウンリンク制御チャネル（Ｒ−ＰＤＣＣＨ）において、ダウンリンク制御メッセージを送信することによって、送信リソースを非周期的ＳＲＳ送信に割り付けること、および、非周期的ＳＲＳ送信をトリガすることを含む。
【０１６０】
別の設計において、ワイヤレス通信ネットワークのリレーバックホールにおいて非周期的サウンディング基準信号（ＳＲＳ）送信をトリガするための装置が提供される。装置は、送信リソースを非周期的ＳＲＳ送信に割り付けるための手段、および、リレー物理ダウンリンク制御チャネル（Ｒ−ＰＤＣＣＨ）において、ダウンリンク制御メッセージを送信することによって非周期的ＳＲＳ送信をトリガするための手段を含む。
【０１６１】
いくつかの設計において、ワイヤレス通信ネットワークのリレーバックホールにおいて非周期的サウンディング基準信号（ＳＲＳ）送信を実行する方法が提供される。方法は、非周期的ＳＲＳ送信に対して送信リソース割付を受信すること、および、リレー物理ダウンリンク制御チャネル（Ｒ−ＰＤＣＣＨ）で受信されたダウンリンク制御メッセージに基づいて非周期的ＳＲＳ送信を実行することを含む。
【０１６２】
さらに別の設計において、ワイヤレス通信ネットワークのリレーバックホールにおいて非周期的サウンディング基準信号（ＳＲＳ）送信を実行するための装置が提供される。装置は、非周期的ＳＲＳ送信に対して送信リソース割付を受信するための手段、および、リレー物理ダウンリンク制御チャネル（Ｒ−ＰＤＣＣＨ）で受信されたダウンリンク制御メッセージに基づいて非周期的ＳＲＳ送信を実行するための手段を含む。
【０１６３】
ある設計において、ダウンリンク制御メッセージングに使用されたフォーマットを再構成すること、および、ダウンリンク制御メッセージを使用して再構成する間に非周期的サウンディング基準信号（ＳＲＳ）送信をトリガすることを含む、ワイヤレス通信のための方法が提供される。ダウンリンク制御メッセージは、ダウンリンク制御メッセージが共通探索スペースで送信される場合にフォーマット０および１Ａが使用されないように、メッセージフォーマット０および１Ａを含む複数の可能なメッセージフォーマットから選択される。
【０１６４】
別の設計において、ダウンリンク制御メッセージングに使用されたフォーマットを再構成するための手段、および、ダウンリンク制御メッセージを使用して再構成する間に非周期的サウンディング基準信号（ＳＲＳ）送信をトリガするための手段を含む、ワイヤレス通信のための装置が提供される。ダウンリンク制御メッセージは、ダウンリンク制御メッセージが共通探索スペースで送信される場合にフォーマット０および１Ａが使用されないように、メッセージフォーマット０および１Ａを含む複数の可能なメッセージフォーマットから選択される。
【０１６５】
いくつかの設計において、ワイヤレス通信システムにおいて非周期的サウンディング基準信号（ＳＲＳ）送信を実行する方法が提供される。方法は、非周期的ＳＲＳ送信のための送信リソース割付メッセージを受信すること、および、ダウンリンク制御情報（ＤＣＩ）メッセージに基づいて非周期的ＳＲＳ送信を実行することを含む。ＤＣＩメッセージは、ＤＣＩメッセージが共通探索スペースで送信される場合にフォーマット０および１Ａが使用されないように、メッセージフォーマット０および１Ａを含む複数のメッセージフォーマットから選択される。
【０１６６】
いくつかの他の設計において、ワイヤレス通信システムにおいて非周期的サウンディング基準信号（ＳＲＳ）送信を実行するための装置が提供される。装置は、非周期的ＳＲＳ送信のための送信リソース割付メッセージを受信するための手段、および、ダウンリンク制御情報（ＤＣＩ）メッセージに基づいて非周期的ＳＲＳ送信を実行するための手段を含む。ＤＣＩメッセージは、ＤＣＩメッセージが共通探索スペースで送信される場合にフォーマット０および１Ａが使用されないように、メッセージフォーマット０および１Ａを含む複数のメッセージフォーマットから選択される。
【０１６７】
開示されたプロセスにおけるステップの特定の順序または階層は例示的なアプローチの一例であることが理解される。設計の選好（design preference）に基づいて、プロセスにおけるステップの特定の順序または階層が、本開示の範囲を逸脱することなく再配列されうることが理解される。添付の方法請求項は様々なステップのエレメントを簡単な順序で提示し、かつ、提示される特定の順序または階層に限定されることを意味しない。
【０１６８】
当業者は、情報と信号とが、多様で異なるテクノロジとテクニックのいずれかを用いて表されることを理解するであろう。例えば、上の記述全体を通して参照されうるデータ、命令、コマンド、情報、信号、ビット、シンボル、およびチップは、電圧、電流、電磁波、磁場または粒子、光電場または光粒子、またはこれらのあらゆる組み合わせによって表されうる。
【０１６９】
「例示的（exemplary）」という用語は、「実例、事例、または例証として提供される」を意味するために本明細書で使用される。「例示的」として本明細書に記述されている任意の態様または設計は、必ずしも他の態様または設計よりも有利または優先されるとして解釈されるわけではない。
【０１７０】
当業者はさらに、本明細書に開示された実施形態と関連して記述されている様々な実例となる論理ブロック、モジュール、回路、アルゴリズムステップが電子ハードウェア、コンピュータソフトウェアまたは両方の組み合わせとしてインプリメントされることを認識するであろう。このハードウェアとソフトウェアの互換性を明確に示すために、様々な実例となるコンポーネント、ブロック、モジュール、回路、ステップが、それらの機能性という観点から一般的に上に記述されている。ハードウェア、または、ソフトウェアとしてそのような機能性がインプリメントされるか否かは、特定のアプリケーションとシステム全体に課された設計制約とに依存する。当業者は特定アプリケーションごとに様々な方法で上に記述された機能性をインプリメントすることができるが、このようなインプリメントの決定は本開示の範囲からの逸脱の原因になるとして解釈されるべきではない。
【０１７１】
本明細書に開示された実施形態と関連して記述される様々な実例となる論理ブロック、モジュール、回路は、汎用のプロセッサ、デジタル信号プロセッサ（ＤＳＰ）、特定用途向けＩＣ（ＡＳＩＣ）、書替え可能ゲートアレイ（ＦＰＧＡ）または他のプログラマブル論理デバイス、ディスクリートゲートまたはトランジスタ論理、ディスクリートハードウェアコンポーネント、もしくは、本明細書に記述された機能を実行するよう設計されたこれらの任意の組み合わせと一緒にインプリメントまたは実行されうる。汎用プロセッサはマイクロプロセッサでありうるが、代替で、プロセッサは任意の従来のプロセッサ、コントローラ、マイクロコントローラ、またはステートマシンでありうる。プロセッサは、また、例えば、ＤＳＰとマクロプロセッサ、複数のマイクロプロセッサ、ＤＳＰコアに結合した１または複数のマイクロプロセッサ、その他の上記構成の組み合わせといった計算デバイスの組み合わせとしてもインプリメントされうる。
【０１７２】
１または複数の例示的な実施形態において、記述された機能は、ハードウェア、ソフトウェア、ファームウェア、またはそれらのあらゆる組み合わせにインプリメントされうる。ソフトウェアにインプリメントされた場合、この機能は、コンピュータ可読媒体上の１または複数の命令またはコードとして記憶または符号化される。コンピュータ可読媒体は、コンピュータ記憶媒体を含む。記憶媒体は、コンピュータによりアクセスされることができる任意の利用可能な媒体である。それに制限されない例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、もしくは、コンピュータによってアクセスされることができ、命令やデータ構造形で所望のプログラムコードを搬送または記憶するために使用されうる任意の別媒体を備えうる。ディスク（ｄｉｓｋ）とディスク（ｄｉｓｃ）は、本明細書で使用される場合、コンパクトディスク（ＣＤ）、レーザディスク、光ディスク、デジタル多用途ディスク（ＤＶＤ）、フロッピー（登録商標）ディスク、ブルーレイ（登録商標）ディスクを含む。ディスク（ｄｉｓｋ）は通常磁気作用によってデータを再生し、ディスク（ｄｉｓｃ）はレーザーで光学的にデータを再生する。上記の組み合わせもコンピュータ可読媒体の範囲内に含まれるべきである。
【０１７３】
当業者が本開示を実施および使用することを可能にするために、開示された実施形態の以上の記述は提供される。これらの実施形態に対する様々な変更は当業者には容易に明らかであり、本明細書において定義された包括的な原理は、本開示の精神または範囲を逸脱することなく他の実施形態に適用可能である。従って、本開示は、本明細書に示された実施形態に制限されることを企図せず、本明細書に開示された原理および新規な特徴と合致する最も広い範囲が与えられるべきである。
【０１７４】
上に記述された例示的なシステムの観点から、開示された主題に従ってインプリメントされうる方法が、いくつかのフロー図に関して記述されている。説明の簡潔さのために、この方法は、一連のブロックで提示および記述されているが、いくつかのブロックは、本明細書に描写および記述された動作とは異なる順序で、および／または、他のブロックと共に生じうるため、請求される主題がこのブロックの順序によって制限されないことは理解および認識されるべきである。さらに、本明細書に記述された方法をインプリメントするために、提示された全てのブロックが要求されるわけでない。加えて、本明細書で開示される方法が、コンピュータへのそのような方法の移送および転送を容易にするために、製品（article of manufacture）に記憶可能であることはさらに認識されるべきである。製品（article of manufacture）という用語は、本明細書で使用される場合、あらゆるコンピュータ可読デバイス、キャリア、または媒体からアクセス可能なコンピュータプログラムを包含することを企図する。
以下に本願発明の当初の特許請求の範囲に記載された発明を付記する。
［Ｃ１］
ワイヤレス通信のための方法であって：
サウンディング基準信号（ＳＲＳ）の非周期的送信にリソースを割り付けることと、
第２のダウンリンク制御メッセージを生成するために第１のダウンリンク制御メッセージの一部を変更することと、ここにおいて、前記第１のダウンリンク制御メッセージは、非周期的ＳＲＳ送信をトリガしない、
前記第２のダウンリンクメッセージを送信することと
を備える、方法。
［Ｃ２］
前記送信することは、ランダムアクセス応答メッセージで、前記第２のダウンリンクメッセージを送信することを備える、
Ｃ１に記載の方法。
［Ｃ３］
前記第１の制御メッセージの前記一部は、１ビットフィールドおよび２ビットフィールドのうちの１つを備える、
Ｃ１に記載の方法。
［Ｃ４］
前記第２のダウンリンクメッセージを送信した後の既定の時間期間に前記非周期的ＳＲＳ送信を受信することをさらに備える、
Ｃ１に記載の方法。
［Ｃ５］
前記既定の時間期間は、少なくとも４ミリ秒である、
Ｃ４に記載の方法。
［Ｃ６］
前記非周期的ＳＲＳ送信を受信することは、セル固有送信サブフレームにおいてのみ前記非周期的ＳＲＳ送信を受信することを備える、
Ｃ５に記載の方法。
［Ｃ７］
前記第１のダウンリンクメッセージは、ダウンリンク制御情報（ＤＣＩ）メッセージを備える、
Ｃ１に記載の方法。
［Ｃ８］
ワイヤレス通信のための装置であって、
サウンディング基準信号（ＳＲＳ）の非周期的送信にリソースを割り付けるための手段と、
第２のダウンリンク制御メッセージを生成するためにルールの第１のセットに対応する第１のダウンリン制御メッセージの一部を変更するための手段と、ここにおいて、前記第１のダウンリンク制御メッセージは、非周期的ＳＲＳ送信をトリガしない、
前記第２のダウンリンクメッセージを送信するための手段と
を備える、装置。
［Ｃ９］
前記第１のダウンリンクメッセージは、ダウンリンク制御情報（ＤＣＩ）メッセージを備え、
前記第１のダウンリンク制御メッセージの前記一部は、１ビットフィールドおよび２ビットフィールドのうちの１つを備える、
Ｃ８に記載の装置。
［Ｃ１０］
ワイヤレス通信のための装置であって、
サウンディング基準信号（ＳＲＳ）の非周期的送信にリソースを割り付け、
第２のダウンリンク制御メッセージを生成するためにルールの第１のセットに対応する第１のダウンリン制御メッセージの一部を変更し、ここにおいて、前記第１のダウンリンク制御メッセージは、非周期的ＳＲＳ送信をトリガしない、
前記第２のダウンリンクメッセージを送信する
ように構成されたプロセッサと、
前記プロセッサに結合されたメモリと
を備える、装置。
［Ｃ１１］
前記第１のダウンリンクメッセージは、ダウンリンク制御情報（ＤＣＩ）メッセージを備え、
前記第１のダウンリンク制御メッセージの前記一部は、１ビットフィールドおよび２ビットフィールドのうちの１つを備える、
Ｃ１０記載の装置。
［Ｃ１２］
コンピュータ可読記憶媒体を備えるコンピュータプログラムプロダクトであって、前記コンピュータ可読記憶媒体は、
コンピュータに対して、サウンディング基準信号（ＳＲＳ）の非周期的送信にリソースを割り付けさせるための命令と、
前記コンピュータに対して、第２のダウンリンク制御メッセージを生成するために第１のダウンリン制御メッセージの一部を変更させるための命令と、ここにおいて、前記第１のダウンリンク制御メッセージは、非周期的ＳＲＳ送信をトリガしない、
前記コンピュータに対して、前記第２のダウンリンクメッセージを送信させるための命令と
を備える、コンピュータプログラムプロダクト。
［Ｃ１３］
ワイヤレス通信のための方法であって、
送信のサブフレームにおいてチャネル品質インジケータ（ＣＱＩ）メッセージを受信することと、
前記送信の前記サブフレームにおいて非周期的サウンディング基準信号（ＳＲＳ）を受信することと
を備える、方法。
［Ｃ１４］
前記ＣＱＩメッセージを受信することは、物理アップリンク共有チャネル（ＰＵＳＣＨ）で前記ＣＱＩメッセージを受信することを備え、
前記非周期的ＳＲＳを受信することは、前記送信の前記サブフレームの最後のシンボルで前記非周期的ＳＲＳを受信することを備える、
Ｃ１３に記載の方法。
［Ｃ１５］
ワイヤレス通信のための装置であって、
送信のサブフレームでチャネル品質インジケータ（ＣＱＩ）メッセージを受信するための手段と、
前記送信の前記サブフレームで非周期的サウンディング基準信号（ＳＲＳ）を受信するための手段と
を備える、装置。
［Ｃ１６］
前記ＣＱＩメッセージを受信するための手段は、物理アップリンク共有チャネル（ＰＵＳＣＨ）において前記ＣＱＩメッセージを受信するための手段を備え、
前記非周期的ＳＲＳを受信するための手段は、前記送信の前記サブフレームの最後のシンボルで前記非周期的ＳＲＳを受信するための手段を備える、
Ｃ１５に記載の装置。
［Ｃ１７］
ワイヤレス通信のための方法であって、
セルにおいて周期的サウンディング基準信号（ＳＲＳ）送信にセル固有送信サブフレームを割り付けることと、
リラックスされた単一キャリア波形が使用されるか否か、並びに、前記セルが、短縮された物理アップリンク制御チャネル（ＰＵＣＣＨ）フォーマットに対して構成されるか否かを決定することと、
前記決定に基づいて送信リソースを非周期的ＳＲＳ送信に割り付けることと
を備える、方法。
［Ｃ１８］
ワイヤレス通信のための装置であって、
セル内の周期的サウンディング基準信号（ＳＲＳ）送信にセル固有送信サブフレームを割り付けるための手段と、
リラックスされた単一キャリア波形が使用されるか否か、並びに、前記セルが、短縮された物理アップリンク制御チャネル（ＰＵＣＣＨ）フォーマットに対して構成されるか否かを決定するための手段と、
前記決定に基づいて送信リソースを非周期的ＳＲＳ送信に割り付けるための手段と
を備える、装置。
［Ｃ１９］
ワイヤレス通信のための方法であって、
複数の送信アンテナを有するユーザ機器（ＵＥ）から非周期的サウンディング基準信号（ＳＲＳ）送信をトリガするためにダウンリンク制御メッセージを送信することと、
前記ＵＥの前記送信アンテナの既定のセットから前記非周期的ＳＲＳ送信を受信することと
を備える、方法。
［Ｃ２０］
前記受信することは、前記ＵＥの全ての送信アンテナからの前記非周期的ＳＲＳ送信を同時に受信することを備える、
Ｃ１９に記載の方法。
［Ｃ２１］
ワイヤレス通信のための装置であって、
複数の送信アンテナを有するユーザ機器（ＵＥ）から非周期的サウンディング基準信号（ＳＲＳ）送信をトリガするためにダウンリンク制御メッセージを送信するための手段と、
前記ＵＥの前記送信アンテナの既定のセットから前記非周期的ＳＲＳ送信を受信するための手段と
を備える、装置。
［Ｃ２２］
前記受信するための手段は、前記ＵＥの全ての送信アンテナからの前記非周期的ＳＲＳ送信を同時に受信するための手段を備える、
Ｃ２１に記載の装置。
［Ｃ２３］
ワイヤレス通信のための方法であって、
ユーザ機器（ＵＥ）と時間ドメイン複信（ＴＤＤ）チャネルを確立することと、
アップリンクパイロット時間スロット（ＵｐＰＴＳ）において非周期的サウンディング基準信号（ＳＲＳ）送信に送信リソースを割り付けることと、
前記非周期的ＳＲＳ送信をトリガするためにダウンリンク制御メッセージを送信することと
を備える、方法。
［Ｃ２４］
前記非周期的ＳＲＳ送信に割り付けられた前記送信リソースは、前記ダウンリンク制御メッセージが送信されるダウンリンクサブフレームに依存する、
Ｃ２３に記載の方法。
［Ｃ２５］
ワイヤレス通信のための装置であって、
ユーザ機器（ＵＥ）と時間ドメイン複信（ＴＤＤ）チャネルを確立するための手段と、
アップリンクパイロット時間スロット（ＵｐＰＴＳ）において非周期的サウンディング基準信号（ＳＲＳ）送信に送信リソースを割り付けるための手段と、
前記非周期的ＳＲＳ送信をトリガするためにダウンリンク制御メッセージを送信するための手段と
を備える、装置。
［Ｃ２６］
前記非周期的ＳＲＳ送信に割り付けられた前記送信リソースは、前記ダウンリンク制御メッセージが送信されるダウンリンクサブフレームに依存する、
Ｃ２５に記載の装置。
［Ｃ２７］
ワイヤレス通信のための方法であって、
複数のコンポーネントキャリア（ＣＣ）を用いてユーザ機器（ＵＥ）を構成することと、
制御メッセージに基づいて非周期的サウンディング基準信号（ＳＲＳ）送信をトリガすることと
を備える、方法。
［Ｃ２８］
前記制御メッセージが前記非周期的ＳＲＳ送信を同時にトリガし、前記ＰＵＳＣＨ送信をスケジューリングする場合に、物理アップリンク共有チャネル（ＰＵＳＣＨ）送信を搬送するアップリンクキャリアと同一のアップリンクキャリア上の前記非周期的ＳＲＳ送信と、
前記制御メッセージが、前記非周期的ＳＲＳ送信を同時にトリガし、前記ＰＤＳＣＨ送信をスケジューリングする場合に、物理ダウンリンク共有チャネル（ＰＤＳＣＨ）送信に応答して肯定応答／否定応答（ＡＣＫ／ＮＡＣＫ）送信を搬送するアップリンクキャリアと同一のアップリンクキャリア上の前記非周期的ＳＲＳ送信と、
のうちの１つを受信することをさらに備える、Ｃ２７に記載の方法。
［Ｃ２９］
前記非周期的ＳＲＳ送信をトリガするダウンリンク制御情報メッセージを搬送するダウンリンクキャリアとリンクされたアップリンクキャリア上で前記非周期的ＳＲＳ送信を受信することをさらに備える、
Ｃ２７に記載の方法。
［Ｃ３０］
前記ダウンリンクキャリアと前記アップリンクキャリアとのリンケージは、システム情報ブロードキャストメッセージおよびＵＥ固有メッセージのうちの１つを介して示される、
Ｃ２９に記載の方法。
［Ｃ３１］
ワイヤレス通信のための装置であって、
複数のコンポーネントキャリア（ＣＣ）を用いてユーザ機器（ＵＥ）を構成するための手段と、
制御メッセージに基づいて非周期的サウンディング基準信号（ＳＲＳ）送信をトリガするための手段と
を備える、装置。
［Ｃ３２］
前記制御メッセージが前記非周期的ＳＲＳ送信を同時にトリガし、前記ＰＵＳＣＨ送信をスケジューリングする場合に、物理アップリンク共有チャネル（ＰＵＳＣＨ）送信を搬送するアップリンクキャリアと同一のアップリンクキャリア上の前記非周期的ＳＲＳ送信と、
前記制御メッセージが、前記非周期的ＳＲＳ送信を同時にトリガし、前記ＰＤＳＣＨ送信をスケジューリングする場合に、物理ダウンリンク共有チャネル（ＰＤＳＣＨ）送信に応答して肯定応答／否定応答（ＡＣＫ／ＮＡＣＫ）送信を搬送するアップリンクキャリアと同一のアップリンクキャリア上の前記非周期的ＳＲＳ送信と、
のうちの１つを受信するための手段をさらに備える、Ｃ３１に記載の装置。
［Ｃ３３］
前記非周期的ＳＲＳ送信をトリガするダウンリンク制御情報メッセージを搬送するダウンリンクキャリアとリンクされたアップリンクキャリア上で前記非周期的ＳＲＳ送信を受信するための手段をさらに備える、
Ｃ３１に記載の装置。
［Ｃ３４］
前記ダウンリンクキャリアと前記アップリンクキャリアとのリンケージは、システム情報ブロードキャストメッセージおよびＵＥ固有メッセージのうちの１つを介して示される、
Ｃ３３に記載の装置。
［Ｃ３５］
ワイヤレス通信のための方法であって、
第１のダウンリンク制御メッセージを受信することと、ここにおいて、前記第１のダウンリンク制御メッセージは、第２のダウンリンク制御メッセージの一部を変更することによって作成され、前記第２のダウリンク制御メッセージは、非周期的サウンディング基準信号（ＳＲＳ）送信をトリガせず、前記第１のダウンリンク制御メッセージは、前記非周期的ＳＲＳ送信に割り付けられたリソースを示す、
前記受信された第１のダウンリンク制御メッセージに基づいて非周期的ＳＲＳを送信することと
を備える、方法。
［Ｃ３６］
前記受信することは、ランダムアクセス応答メッセージにおいて前記第１のダウンリンク制御メッセージを受信することを備える、
Ｃ３５に記載の方法。
［Ｃ３７］
前記第２のダウンリンク制御メッセージの前記一部は、１ビットフィールドおよび２ビットフィールドのうちの１つを備える、
Ｃ３５に記載の方法。
［Ｃ３８］
前記送信することは、前記第１のダウンリンク制御メッセージを受信した後の既定の時間期間の後に前記非周期的ＳＲＳを送信することを備える、
Ｃ３５に記載の方法。
［Ｃ３９］
前記既定の時間期間は、少なくとも４ミリ秒である、
Ｃ３８に記載の方法。
［Ｃ４０］
ワイヤレス通信のための装置であって、
第１のダウンリンク制御メッセージを受信するための手段と、ここにおいて、前記第１のダウンリンク制御メッセージは、第２のダウンリンク制御メッセージの一部を変更することによって作成され、前記第２のダウリンク制御メッセージは、非周期的サウンディング基準信号（ＳＲＳ）送信をトリガせず、前記第１のダウンリンク制御メッセージは、前記非周期的ＳＲＳ送信に割り付けられたリソースを示す、
前記受信された第１のダウンリンク制御メッセージに基づいて非周期的ＳＲＳを送信するための手段と
を備える、装置。
［Ｃ４１］
前記受信するための手段は、ランダムアクセス応答メッセージにおいて前記第１のダウンリンク制御メッセージを受信するための手段を備える、
Ｃ４０に記載の装置。
［Ｃ４２］
前記第２のダウンリンク制御メッセージの一部は、１ビットフィールドおよび２ビットフィールドのうちの１つを備える、
Ｃ４０に記載の方法。
［Ｃ４３］
前記送信するための手段は、前記第１のダウンリンク制御メッセージを受信した後の既定の時間期間の後に前記非周期的ＳＲＳを送信することを備える、
Ｃ４０に記載の方法。
［Ｃ４４］
ワイヤレス通信のための装置であって、
第１のダウンリンク制御メッセージを受信し、ここにおいて、前記第１のダウンリンク制御メッセージは、第２のダウンリンク制御メッセージの一部を変更することによって作成され、前記第２のダウリンク制御メッセージは、非周期的サウンディング基準信号（ＳＲＳ）送信をトリガせず、前記第１のダウンリンク制御メッセージは、前記非周期的ＳＲＳ送信に割り付けられたリソースを示す、
前記受信された第１のダウンリンク制御メッセージに基づいて非周期的ＳＲＳを送信する
ように構成されたプロセッサと、
前記プロセッサに結合されたメモリと
を備える、装置。
［Ｃ４５］
コンピュータ可読記憶媒体を備えるコンピュータプログラムプロダクトであって、前記コンピュータ可読記憶媒体は、
コンピュータに対して、第１のダウンリンク制御メッセージを受信させるための命令と、ここにおいて、前記第１のダウンリンク制御メッセージは、第２のダウンリンク制御メッセージの一部を変更することによって作成され、前記第２のダウリンク制御メッセージは、非周期的サウンディング基準信号（ＳＲＳ）送信をトリガせず、前記第１のダウンリンク制御メッセージは、前記非周期的ＳＲＳ送信に割り付けられたリソースを示す、
前記コンピュータに対して、前記受信された第１のダウンリンク制御メッセージに基づいて非周期的ＳＲＳを送信させるための命令と
を備える、コンピュータプログラムプロダクト。
［Ｃ４６］
ワイヤレス通信システムのための方法であって、
送信のサブフレームにおいてチャネル品質インジケータ（ＣＱＩ）メッセージを送信することと、
前記送信の前記サブフレームにおいて非周期的サウンディング基準信号（ＳＲＳ）を送信することと
を備える、方法。
［Ｃ４７］
前記ＣＱＩメッセージを送信することは、物理アップリンク共有チャネル（ＰＵＳＣＨ）で前記ＣＱＩメッセージを送信することを備え、
前記非周期的ＳＲＳを送信することは、前記送信の前記サブフレームの最後のシンボルで前記非周期的ＳＲＳを送信することを備える、
Ｃ４６に記載の方法。
［Ｃ４８］
ワイヤレス通信システムのための装置であって、
送信のサブフレームにおいてチャネル品質インジケータ（ＣＱＩ）メッセージを送信するための手段と、
前記送信の前記サブフレームにおいて非周期的サウンディング基準信号（ＳＲＳ）を送信するための手段と
を備える、装置。
［Ｃ４９］
前記ＣＱＩメッセージを送信するための手段は、物理アップリンク共有チャネル（ＰＵＳＣＨ）において前記ＣＱＩメッセージを送信するための手段を備え、
前記非周期的ＳＲＳを送信するための手段は、前記送信の前記サブフレームの最後のシンボルで前記非周期的ＳＲＳを送信するための手段を備える、
Ｃ４８に記載の装置。
［Ｃ５０］
ワイヤレス通信のための方法であって、
セル内の周期的サウンディング基準信号（ＳＲＳ）送信に対するセル固有送信サブフレームの割り付けを受信することと、
リラックスされた単一キャリア波形が使用されるか否か、並びに、前記セルが、短縮された物理アップリンク制御チャネル（ＰＵＣＣＨ）フォーマットに対して構成されるか否かを決定することと、
前記決定に基づいて非周期的ＳＲＳ送信を選択的に送信することと
を備える、方法。
［Ｃ５１］
ワイヤレス通信のための装置であって、
セル内の周期的サウンディング基準信号（ＳＲＳ）送信に対するセル固有送信サブフレームの割り付けを受信するための手段と、
リラックスされた単一キャリア波形が使用されるか否か、並びに、前記セルが、短縮された物理アップリンク制御チャネル（ＰＵＣＣＨ）フォーマットに対して構成されるか否かを決定するための手段と、
前記決定に基づいて非周期的ＳＲＳ送信を選択的に送信するための手段と
を備える、方法。
［Ｃ５２］
ワイヤレス通信のための方法であって、
物理アップリンク共有チャネル（ＰＵＳＣＨ）送信がサブフレームで実行されるか否かを決定することと、
いずれのＰＵＳＣＨ送信も前記サブフレームで実行されないときに、短縮された物理アップリンク制御チャネル（ＰＵＣＣＨ）が前記サブフレームで使用されない場合、スケジューリング要求（ＳＲ）を備えるサブフレームにおいて非周期的サウンディング基準信号（ＳＲＳ）送信を抑圧することと
を備える、方法。
［Ｃ５３］
ワイヤレス通信のための装置であって、
物理アップリンク共有チャネル（ＰＵＳＣＨ）送信がサブフレームで実行されるか否かを決定するための手段と、
いずれのＰＵＳＣＨ送信も前記サブフレームで実行されないときに、短縮された物理アップリンク制御チャネル（ＰＵＣＣＨ）が前記サブフレームで使用されない場合、スケジューリング要求（ＳＲ）を備えるサブフレームにおいて非周期的サウンディング基準信号（ＳＲＳ）送信を抑圧するための手段と
を備える、装置。
［Ｃ５４］
ワイヤレス通信のための方法であって、
サブフレームにおける周期的サウンディング基準信号（ＳＲＳ）送信のための送信リソースが、非周期的ＳＲＳ送信のための送信リソースとオーバラップするか否かを決定することと、
前記非周期的ＳＲＳ送信のための送信リソースと前記周期的ＳＲＳ送信のための送信リソースとがオーバラップしない場合に、前記非周期的ＳＲＳ送信信号および前記周期的ＳＲＳ送信信号の両方を送信することと、
前記非周期的ＳＲＳ送信のための前記送信リソースと前記周期的ＳＲＳ送信のための前記送信リソースとがオーバラップする場合に、前記非周期的ＳＲＳ送信信号だけを送信することと
を備える、方法。
［Ｃ５５］
ワイヤレス通信のための装置であって、
サブフレームにおける周期的サウンディング基準信号（ＳＲＳ）送信のための送信リソースが、非周期的ＳＲＳ送信のための送信リソースとオーバラップするか否かを決定するための手段と、
前記非周期的ＳＲＳ送信のための送信リソースと前記周期的ＳＲＳ送信のための送信リソースとがオーバラップしない場合に、前記非周期的ＳＲＳ送信信号および前記周期的ＳＲＳ送信信号の両方を送信するための手段と、
前記非周期的ＳＲＳ送信のための前記送信リソースと前記周期的ＳＲＳ送信のための前記送信リソースとがオーバラップする場合に、前記非周期的ＳＲＳ送信だけを送信するための手段と
を備える、装置。
［Ｃ５６］
ワイヤレス通信のための方法であって、
非周期的サウンディング基準信号（ＳＲＳ）送信トリガリングメッセージを受信することと、
ユーザ機器（ＵＥ）の送信アンテナの既定のセットから非周期的ＳＲＳ送信信号を送信することと
を備える、方法。
［Ｃ５７］
前記送信することは、前記ＵＥの全ての送信アンテナからの前記非周期的ＳＲＳ送信を同時に送信することを備える、
Ｃ５６に記載の方法。
［Ｃ５８］
ワイヤレス通信のための装置であって、
非周期的サウンディング基準信号（ＳＲＳ）送信トリガリングメッセージを受信するための手段と、
ユーザ機器（ＵＥ）の送信アンテナの既定のセットから非周期的ＳＲＳ送信信号を送信するための手段と
を備える、装置。
［Ｃ５９］
前記送信するための手段は、前記ＵＥの全ての送信アンテナからの前記非周期的ＳＲＳ送信を同時に送信するための手段を備える、
Ｃ５８に記載の装置。
［Ｃ６０］
ワイヤレス通信のための方法であって、
時間ドメイン複信（ＴＤＤ）チャネルを確立することと、
アップリンクパイロット時間スロット（ＵｐＰＴＳ）において非周期的サウンディング基準信号（ＳＲＳ）送信のために送信リソースを受信することと、
前記非周期的ＳＲＳ送信をトリガするためにダウンリンク制御メッセージを受信することと
を備える、方法。
［Ｃ６１］
前記非周期的送信に割り付けられた前記送信リソースは、前記ダウンリンク制御メッセージが送信されるダウンリンクサブフレームに依存する、
Ｃ６０に記載の方法。
［Ｃ６２］
物理アップリンク共有チャネル（ＰＵＳＣＨ）に割り当てられたキャリア上で前記非周期的ＳＲＳ送信信号を送信することをさらに備える、
Ｃ６０に記載の方法。
［Ｃ６３］
ワイヤレス通信のための装置であって、
時間ドメイン複信（ＴＤＤ）チャネルを確立するための手段と、
アップリンクパイロット時間スロット（ＵｐＰＴＳ）において非周期的サウンディング基準信号（ＳＲＳ）送信のために送信リソースを受信するための手段と、
前記非周期的ＳＲＳ送信をトリガするためにダウンリンク制御メッセージを受信するための手段と
を備える、装置。
［Ｃ６４］
ワイヤレス通信のための方法であって、
複数のコンポーネントーキャリア（ＣＣ）を用いてユーザ機器（ＵＥ）を構成することと、
受信された制御メッセージに基づいて非周期的サウンディング基準信号（ＳＲＳ）送信を実行することと
を備える、方法。
［Ｃ６５］
前記制御メッセージが、アップリンク（ＵＬ）送信をスケジューリングするダウンリンク制御情報（ＤＣＩ）メッセージを備える場合に、物理アップリンク共有チャネル（ＰＵＳＣＨ）キャリア上で前記非周期的ＳＲＳ送信信号、および
前記制御メッセージが、ダウンリンク（ＤＬ）送信をスケジューリングするダウンリンク制御情報（ＤＣＩ）メッセージを備える場合に、ＡＣＫ／ＮＡＣＫキャリア上で前記非周期的ＳＲＳ送信信号、
のうちの１つを送信することをさらに備える、Ｃ６４に記載の方法。
［Ｃ６６］
ワイヤレス通信のための装置であって、
複数のコンポーネントキャリア（ＣＣ）を用いてユーザ機器（ＵＥ）を構成するための手段と、
受信された制御メッセージに基づいて非周期的サウンディング基準信号（ＳＲＳ）送信を実行するための手段と
を備える、装置。
［Ｃ６７］
前記制御メッセージが、アップリンク（ＵＬ）送信をスケジューリングするダウンリンク制御情報（ＤＣＩ）メッセージを備える場合に、物理アップリンク共有チャネル（ＰＵＳＣＨ）キャリア上で前記非周期的ＳＲＳ送信信号、および
前記制御メッセージが、ダウンリンク（ＤＬ）送信をスケジューリングするダウンリンク制御情報（ＤＣＩ）メッセージを備える場合に、ＡＣＫ／ＮＡＣＫキャリア上で前記非周期的ＳＲＳ送信信号、
のうちの１つを送信するための手段をさらに備える、Ｃ６６に記載の装置。
［Ｃ６８］
ワイヤレス通信のための方法であって、
サブフレームにおいてチャネル品質インジケータ（ＣＱＩ）メッセージを送信するための構成を受信することと、
前記サブフレームにおいて非周期的サウンディング基準信号（ＳＲＳ）を送信するためのトリガを受信することと
を備える、方法。
［Ｃ６９］
前記サブフレームで前記非周期的ＳＲＳを送信することなく前記サブフレームで前記ＣＱＩ、および
前記サブフレームで前記ＣＱＩを送信することなく前記サブフレームで前記非周期的ＳＲＳ、
のうちの１つを送信することをさらに備える、Ｃ６８に記載の方法。
［Ｃ７０］
ワイヤレス通信のための装置であって、
サブフレームにおいてチャネル品質インジケータ（ＣＱＩ）メッセージを送信するための構成を受信するための手段と、
前記サブフレームにおいて非周期的サウンディング基準信号（ＳＲＳ）を送信するためのトリガを受信するための手段と
を備える、装置。
［Ｃ７１］
前記サブフレームで前記非周期的ＳＲＳを送信することなく前記サブフレームで前記ＣＱＩ、および
前記サブフレームで前記ＣＱＩを送信することなく前記サブフレームで前記非周期的ＳＲＳ、
のうちの１つを送信するための手段をさらに備える、Ｃ７０に記載の装置。
【図１】
0005944542.tif 000004
【図２】
0005944542.tif 000005
【図３】
0005944542.tif 000006
【図４】
0005944542.tif 000007
【図５】
0005944542.tif 000008
【図６】
0005944542.tif 000009
【図７】
0005944542.tif 000010
【図８】
0005944542.tif 000011
【図９】
0005944542.tif 000012
【図１０】
0005944542.tif 000013
【図１１】
0005944542.tif 000014
【図１２】
0005944542.tif 000015
【図１３】
0005944542.tif 000016
【図１４】
0005944542.tif 000017
【図１５】
0005944542.tif 000018
【図１６】
0005944542.tif 000019
【図１７】
0005944542.tif 000020
【図１８】
0005944542.tif 000021
【図１９】
0005944542.tif 000022
【図２０】
0005944542.tif 000023
【図２１】
0005944542.tif 000024
【図２２】
0005944542.tif 000025
【図２３】
0005944542.tif 000026
【図２４】
0005944542.tif 000027
【図２５】
0005944542.tif 000028
【図２６】
0005944542.tif 000029
【図２７】
0005944542.tif 000030
【図２８】
0005944542.tif 000031
【図２９】
0005944542.tif 000032
【図３０】
0005944542.tif 000033
【図３１】
0005944542.tif 000034
【図３２】
0005944542.tif 000035
【図３３】
0005944542.tif 000036
【図３４】
0005944542.tif 000037
【図３５】
0005944542.tif 000038
【図３６】
0005944542.tif 000039
【図３７】
0005944542.tif 000040
【図３８】
0005944542.tif 000041
【図３９】
0005944542.tif 000042
【図４０】
0005944542.tif 000043
【図４１】
0005944542.tif 000044
【図４２】
0005944542.tif 000045
【図４３】
0005944542.tif 000046
【図４４】
0005944542.tif 000047
【図４５】
0005944542.tif 000048